(57)【要約】本発明の実施形態は通信分野に関し、伝送モードについての情報を伝送するための方法及びシステム、ネットワークデバイス、並びに端末デバイスを提供する。本方法は、少なくとも２つのダウンリンク伝送モードについての情報を決定するステップであって、少なくとも２つのダウンリンク伝送モードのうち、第１のダウンリンク伝送モードは第１の伝送時間間隔（ＴＴＩ）の時間単位のダウンリンクデータ伝送に用いられ、第２のダウンリンク伝送モードは第２のＴＴＩの時間単位のダウンリンクデータ伝送に用いられ、第１のＴＴＩの長さは第２のＴＴＩの長さとは異なる、ステップと、少なくとも２つのダウンリンク伝送モードについての情報を端末デバイスに送信するステップと、を含む。本発明では、少なくとも２つのダウンリンク伝送モードが構成され、少なくとも２つのダウンリンク伝送モードのうちの第１のダウンリンク伝送モードと第２のダウンリンク伝送モードは、異なる長さのＴＴＩに対応する。これにより、関連技術における、ＴＴＩの長さが異なる場合にＰＤＳＣＨ伝送スケジューリングが実行されるときの柔軟性の低さという問題が解決され、データ伝送のスケジューリングの柔軟性が改善される。
2019515531.tif 000002
【特許請求の範囲】
【請求項１】
伝送モードについての情報を伝送する方法であって、
少なくとも２つのダウンリンク伝送モードについての情報を決定するステップであって、前記少なくとも２つのダウンリンク伝送モードのうち、第１のダウンリンク伝送モードは第１の伝送時間間隔（ＴＴＩ）の時間単位のダウンリンクデータ伝送に用いられ、第２のダウンリンク伝送モードは第２のＴＴＩの時間単位のダウンリンクデータ伝送に用いられ、前記第１のＴＴＩの長さは前記第２のＴＴＩの長さとは異なる、ステップと、
前記少なくとも２つのダウンリンク伝送モードについての前記情報を端末デバイスに送信するステップと、
を含む方法。
【請求項２】
前記少なくとも２つのダウンリンク伝送モードは更に第３のダウンリンク伝送モードを含み、
前記第３のダウンリンク伝送モードは第３のＴＴＩの時間単位のダウンリンクデータ伝送に用いられ、前記第３のＴＴＩの長さは前記第１のＴＴＩの前記長さとは異なり、前記第３のＴＴＩの前記長さは前記第２のＴＴＩの前記長さとは異なる、
請求項１に記載の方法。
【請求項３】
前記少なくとも２つのダウンリンク伝送モードのうちの前記第２のダウンリンク伝送モードは更に、第４のＴＴＩの時間単位のダウンリンクデータ伝送に用いられ、前記第４のＴＴＩの長さは前記第２のＴＴＩの前記長さとは異なる、
請求項１又は２に記載の方法。
【請求項４】
前記第４のＴＴＩの前記長さと前記第２のＴＴＩの前記長さとの差は、予め設定された差よりも小さい、
請求項３に記載の方法。
【請求項５】
前記少なくとも２つのダウンリンク伝送モードの各々は測定参照信号に対応し、前記測定参照信号は、チャネル状態情報参照信号（ＣＳＩ−ＲＳ）、共通参照信号（ＣＲＳ）及びチャネル状態情報プロセス（ＣＳＩ  ｐｒｏｃｅｓｓ）のうち任意の１つを含む、
請求項１乃至４のいずれか一項に記載の方法。
【請求項６】
前記第２のＴＴＩの前記長さは１ミリ秒であり、前記第１のＴＴＩの前記長さは前記第２のＴＴＩの前記長さよりも小さく、前記ダウンリンク伝送モードのタイプは伝送モード（ＴＭ）１乃至ＴＭ１０を含み、
前記第２のダウンリンク伝送モードのタイプは前記ＴＭ１又は前記ＴＭ２であり、前記第１のダウンリンク伝送モードのタイプは前記ＴＭ９又は前記ＴＭ１０であり、又は、
前記第２のダウンリンク伝送モードのタイプは前記ＴＭ９又は前記ＴＭ１０であり、前記第１のダウンリンク伝送モードのタイプは前記ＴＭ１乃至前記ＴＭ８のうち任意の１つであり、又は、
前記第２のダウンリンク伝送モードのタイプは前記ＴＭ１又は前記ＴＭ２であり、前記第１のダウンリンク伝送モードのタイプは前記ＴＭ１乃至前記ＴＭ８のうち任意の１つである、
請求項１乃至５のいずれか一項に記載の方法。
【請求項７】
前記少なくとも２つのダウンリンク伝送モードのうち任意の１つは、少なくとも１つの測定参照信号のアンテナポートに対応し、
前記第１のダウンリンク伝送モードに対応する測定参照信号のアンテナポートのポート番号は、前記第２のダウンリンク伝送モードに対応する測定参照信号のアンテナポートのポート番号とは異なり、且つ、前記第１のダウンリンク伝送モードと前記第２のダウンリンク伝送モードは異なる数のアンテナポートに対応し、又は、
前記第１のダウンリンク伝送モードに対応する測定参照信号のアンテナポートのポート番号は、前記第２のダウンリンク伝送モードに対応する測定参照信号のアンテナポートのポート番号とは異なるが、前記第１のダウンリンク伝送モードと前記第２のダウンリンク伝送モードは同じ数のアンテナポートに対応し、又は、
前記第１のダウンリンク伝送モードに対応する測定参照信号のアンテナポートのポート番号は、前記第２のダウンリンク伝送モードに対応する測定参照信号のアンテナポートのポート番号と同じであり、前記第１のダウンリンク伝送モードに対応する前記測定参照信号のアンテナポートの数は、前記第２のダウンリンク伝送モードに対応する前記測定参照信号のアンテナポートの数とは異なる、
請求項１乃至６のいずれか一項に記載の方法。
【請求項８】
前記少なくとも２つのダウンリンク伝送モードについての前記情報を端末デバイスに送信する前記ステップは、
物理レイヤシグナリング又は無線リソース制御シグナリングを用いて、前記少なくとも２つのダウンリンク伝送モードについての前記情報を前記端末デバイスに送信するステップ、
を含む、請求項１乃至７のいずれか一項に記載の方法。
【請求項９】
伝送モードについての情報を伝送する方法であって、
ネットワークデバイスによって送信された少なくとも２つのダウンリンク伝送モードについての情報を受信するステップであって、前記少なくとも２つのダウンリンク伝送モードのうち、第１のダウンリンク伝送モードは第１のＴＴＩの時間単位のダウンリンクデータ伝送に用いられ、第２のダウンリンク伝送モードは第２のＴＴＩの時間単位のダウンリンクデータ伝送に用いられ、前記第１のＴＴＩの長さは前記第２のＴＴＩの長さとは異なる、ステップと、
前記少なくとも２つのダウンリンク伝送モードについての前記情報に基づいて、前記少なくとも２つのダウンリンク伝送モードを決定するステップと、
を含む方法。
【請求項１０】
前記少なくとも２つのダウンリンク伝送モードは更に第３のダウンリンク伝送モードを含み、
前記第３のダウンリンク伝送モードは第３のＴＴＩの時間単位のダウンリンクデータ伝送に用いられ、前記第３のＴＴＩの長さは前記第１のＴＴＩの前記長さとは異なり、前記第３のＴＴＩの前記長さは前記第２のＴＴＩの前記長さとは異なる、
請求項９に記載の方法。
【請求項１１】
前記少なくとも２つのダウンリンク伝送モードのうちの前記第２のダウンリンク伝送モードは更に、第４のＴＴＩの時間単位のダウンリンクデータ伝送に用いられ、前記第４のＴＴＩの長さは前記第１のＴＴＩの前記長さとは異なり、前記第４のＴＴＩの前記長さは前記第２のＴＴＩの前記長さとは異なる、
請求項９又は１０に記載の方法。
【請求項１２】
前記少なくとも２つのダウンリンク伝送モードの各々は測定参照信号に対応し、
前記少なくとも２つのダウンリンク伝送モードについての前記情報に基づいて前記少なくとも２つのダウンリンク伝送モードを決定する前記ステップの後、
前記第１のダウンリンク伝送モードに対応する測定参照信号に基づいて、測定により第１のＣＳＩを取得し、前記第２のダウンリンク伝送モードに対応する測定参照信号に基づいて、測定により第２のＣＳＩを取得するステップと、
前記第１のＣＳＩ及び前記第２のＣＳＩを前記ネットワークデバイスに送信するステップと、
を更に含む、請求項９乃至１１のいずれか一項に記載の方法。
【請求項１３】
前記少なくとも２つのダウンリンク伝送モードの各々は測定参照信号に対応し、
前記少なくとも２つのダウンリンク伝送モードについての前記情報に基づいて前記少なくとも２つのダウンリンク伝送モードを決定する前記ステップの後、
前記第１のダウンリンク伝送モードに対応する前記測定参照信号に基づいて、測定により前記第１のＣＳＩを取得するステップと、
前記第１のＣＳＩを前記ネットワークデバイスに送信するステップと、
を更に含む、請求項９乃至１２のいずれか一項に記載の方法。
【請求項１４】
伝送モードについての情報を伝送する方法であって、
少なくとも２つのアップリンク伝送モードについての情報を決定するステップであって、前記少なくとも２つのアップリンク伝送モードのうち、第１のアップリンク伝送モードは第１のＴＴＩの時間単位のアップリンクデータ伝送に用いられ、第２のアップリンク伝送モードは第２のＴＴＩの時間単位のアップリンクデータ伝送に用いられ、前記第１のＴＴＩの長さは前記第２のＴＴＩの長さとは異なる、ステップと、
前記少なくとも２つのアップリンク伝送モードについての前記情報を端末デバイスに送信するステップと、
を含む方法。
【請求項１５】
前記少なくとも２つのアップリンク伝送モードについての前記情報を端末デバイスに送信する前記ステップは、
物理レイヤシグナリング又は無線リソース制御シグナリングを用いて、前記少なくとも２つのアップリンク伝送モードについての前記情報を前記端末デバイスに送信するステップ、
を含む、請求項１４に記載の方法。
【請求項１６】
伝送モードについての情報を伝送する方法であって、
ネットワークデバイスによって送信された少なくとも２つのアップリンク伝送モードについての情報を受信するステップであって、前記少なくとも２つのアップリンク伝送モードのうち、第１のアップリンク伝送モードは第１のＴＴＩの時間単位のアップリンクデータ伝送に用いられ、第２のアップリンク伝送モードは第２のＴＴＩの時間単位のアップリンクデータ伝送に用いられ、前記第１のＴＴＩの長さは前記第２のＴＴＩの長さとは異なる、ステップと、
前記少なくとも２つのアップリンク伝送モードについての前記情報に基づいて、前記少なくとも２つのアップリンク伝送モードを決定するステップと、
を含む方法。
【請求項１７】
ネットワークデバイスであって、
少なくとも２つのダウンリンク伝送モードについての情報を決定するように構成されるダウンリンク情報決定ユニットであって、前記少なくとも２つのダウンリンク伝送モードのうち、第１のダウンリンク伝送モードは第１の伝送時間間隔（ＴＴＩ）の時間単位のダウンリンクデータ伝送に用いられ、第２のダウンリンク伝送モードは第２のＴＴＩの時間単位のダウンリンクデータ伝送に用いられ、前記第１のＴＴＩの長さは前記第２のＴＴＩの長さとは異なる、ダウンリンク情報決定ユニットと、
前記少なくとも２つのダウンリンク伝送モードについての前記情報を端末デバイスに送信するように構成されるダウンリンク情報送信ユニットと、
を備えるネットワークデバイス。
【請求項１８】
前記少なくとも２つのダウンリンク伝送モードは更に第３のダウンリンク伝送モードを含み、
前記第３のダウンリンク伝送モードは第３のＴＴＩの時間単位のダウンリンクデータ伝送に用いられ、前記第３のＴＴＩの長さは前記第１のＴＴＩの前記長さとは異なり、前記第３のＴＴＩの前記長さは前記第２のＴＴＩの前記長さとは異なる、
請求項１７に記載のネットワークデバイス。
【請求項１９】
前記少なくとも２つのダウンリンク伝送モードのうちの前記第２のダウンリンク伝送モードは更に、第４のＴＴＩの時間単位のダウンリンクデータ伝送に用いられ、前記第４のＴＴＩの長さは前記第２のＴＴＩの前記長さとは異なる、
請求項１７又は１８に記載のネットワークデバイス。
【請求項２０】
前記第４のＴＴＩの前記長さと前記第２のＴＴＩの前記長さとの差は、予め設定された差よりも小さい、
請求項１９に記載のネットワークデバイス。
【請求項２１】
前記少なくとも２つのダウンリンク伝送モードの各々は測定参照信号に対応し、前記測定参照信号は、チャネル状態情報参照信号（ＣＳＩ−ＲＳ）、共通参照信号（ＣＲＳ）及びチャネル状態情報プロセス（ＣＳＩ  ｐｒｏｃｅｓｓ）のうち任意の１つを含む、
請求項１７乃至２０のいずれか一項に記載のネットワークデバイス。
【請求項２２】
前記第２のＴＴＩの前記長さは１ミリ秒であり、前記第１のＴＴＩの前記長さは前記第２のＴＴＩの前記長さよりも小さく、前記ダウンリンク伝送モードのタイプは伝送モード（ＴＭ）１乃至ＴＭ１０を含み、
前記第２のダウンリンク伝送モードのタイプは前記ＴＭ１又は前記ＴＭ２であり、前記第１のダウンリンク伝送モードのタイプは前記ＴＭ９又は前記ＴＭ１０であり、又は、
前記第２のダウンリンク伝送モードのタイプは前記ＴＭ９又は前記ＴＭ１０であり、前記第１のダウンリンク伝送モードのタイプは前記ＴＭ１乃至前記ＴＭ８のうち任意の１つであり、又は、
前記第２のダウンリンク伝送モードのタイプは前記ＴＭ１又は前記ＴＭ２であり、前記第１のダウンリンク伝送モードのタイプは前記ＴＭ１乃至前記ＴＭ８のうち任意の１つである、
請求項１７乃至２１のいずれか一項に記載のネットワークデバイス。
【請求項２３】
前記少なくとも２つのダウンリンク伝送モードのうち任意の１つは、少なくとも１つの測定参照信号のアンテナポートに対応し、
前記第１のダウンリンク伝送モードに対応する測定参照信号のアンテナポートのポート番号は、前記第２のダウンリンク伝送モードに対応する測定参照信号のアンテナポートのポート番号とは異なり、且つ、前記第１のダウンリンク伝送モードと前記第２のダウンリンク伝送モードは異なる数のアンテナポートに対応し、又は、
前記第１のダウンリンク伝送モードに対応する測定参照信号のアンテナポートのポート番号は、前記第２のダウンリンク伝送モードに対応する測定参照信号のアンテナポートのポート番号とは異なるが、前記第１のダウンリンク伝送モードと前記第２のダウンリンク伝送モードは同じ数のアンテナポートに対応し、又は、
前記第１のダウンリンク伝送モードに対応する測定参照信号のアンテナポートのポート番号は、前記第２のダウンリンク伝送モードに対応する測定参照信号のアンテナポートのポート番号と同じであり、前記第１のダウンリンク伝送モードに対応する前記測定参照信号のアンテナポートの数は、前記第２のダウンリンク伝送モードに対応する前記測定参照信号のアンテナポートの数とは異なる、
請求項１７乃至２２のいずれか一項に記載のネットワークデバイス。
【請求項２４】
前記ダウンリンク情報送信ユニットは、具体的には、物理レイヤシグナリング又は無線リソース制御シグナリングを用いて、前記少なくとも２つのダウンリンク伝送モードについての前記情報を前記端末デバイスに送信するように構成される、
請求項１７乃至２３のいずれか一項に記載のネットワークデバイス。
【請求項２５】
端末デバイスであって、
ネットワークデバイスによって送信された少なくとも２つのダウンリンク伝送モードについての情報を受信するように構成されるダウンリンク情報受信ユニットであって、前記少なくとも２つのダウンリンク伝送モードのうち、第１のダウンリンク伝送モードは第１のＴＴＩの時間単位のダウンリンクデータ伝送に用いられ、第２のダウンリンク伝送モードは第２のＴＴＩの時間単位のダウンリンクデータ伝送に用いられ、前記第１のＴＴＩの長さは前記第２のＴＴＩの長さとは異なる、ダウンリンク情報受信ユニットと、
前記少なくとも２つのダウンリンク伝送モードについての前記情報に基づいて、前記少なくとも２つのダウンリンク伝送モードを決定するように構成されるダウンリンクモード決定ユニットと、
を備える端末デバイス。
【請求項２６】
前記少なくとも２つのダウンリンク伝送モードは更に第３のダウンリンク伝送モードを含み、
前記第３のダウンリンク伝送モードは第３のＴＴＩの時間単位のダウンリンクデータ伝送に用いられ、前記第３のＴＴＩの長さは前記第１のＴＴＩの前記長さとは異なり、前記第３のＴＴＩの前記長さは前記第２のＴＴＩの前記長さとは異なる、
請求項２５に記載の端末デバイス。
【請求項２７】
前記少なくとも２つのダウンリンク伝送モードのうちの前記第２のダウンリンク伝送モードは更に、第４のＴＴＩの時間単位のダウンリンクデータ伝送に用いられ、前記第４のＴＴＩの長さは前記第１のＴＴＩの前記長さとは異なり、前記第４のＴＴＩの前記長さは前記第２のＴＴＩの前記長さとは異なる、
請求項２５又は２６に記載の端末デバイス。
【請求項２８】
前記少なくとも２つのダウンリンク伝送モードの各々は測定参照信号に対応し、
前記端末デバイスは更に、
前記第１のダウンリンク伝送モードに対応する測定参照信号に基づいて、測定により第１のＣＳＩを取得し、前記第２のダウンリンク伝送モードに対応する測定参照信号に基づいて、測定により第２のＣＳＩを取得するように構成される第１のＣＳＩ測定ユニットと、
前記第１のＣＳＩ及び前記第２のＣＳＩを前記ネットワークデバイスに送信するように構成される第１のＣＳＩ送信ユニットと、
を備える、請求項２５乃至２７のいずれか一項に記載の端末デバイス。
【請求項２９】
前記少なくとも２つのダウンリンク伝送モードの各々は測定参照信号に対応し、
前記端末デバイスは更に、
前記第１のダウンリンク伝送モードに対応する前記測定参照信号に基づいて、測定により前記第１のＣＳＩを取得するように構成される第２のＣＳＩ測定ユニットと、
前記第１のＣＳＩを前記ネットワークデバイスに送信するように構成される第２のＣＳＩ送信ユニットと、
を備える、請求項２５乃至２８のいずれか一項に記載の端末デバイス。
【請求項３０】
ネットワークデバイスであって、
少なくとも２つのアップリンク伝送モードについての情報を決定するように構成されるアップリンク情報決定ユニットであって、前記少なくとも２つのアップリンク伝送モードのうち、第１のアップリンク伝送モードは第１のＴＴＩの時間単位のアップリンクデータ伝送に用いられ、第２のアップリンク伝送モードは第２のＴＴＩの時間単位のアップリンクデータ伝送に用いられ、前記第１のＴＴＩの長さは前記第２のＴＴＩの長さとは異なる、アップリンク情報決定ユニットと、
前記少なくとも２つのアップリンク伝送モードについての前記情報を端末デバイスに送信するように構成されるアップリンク情報送信ユニットと、
を備えるネットワークデバイス。
【請求項３１】
前記アップリンク情報送信ユニットは、具体的には、物理レイヤシグナリング又は無線リソース制御シグナリングを用いて、前記少なくとも２つのアップリンク伝送モードについての前記情報を前記端末デバイスに送信するように構成される、
請求項３０に記載のネットワークデバイス。
【請求項３２】
端末デバイスであって、
ネットワークデバイスによって送信された少なくとも２つのアップリンク伝送モードについての情報を受信するように構成されるアップリンク情報受信ユニットであって、前記少なくとも２つのアップリンク伝送モードのうち、第１のアップリンク伝送モードは第１のＴＴＩの時間単位のアップリンクデータ伝送に用いられ、第２のアップリンク伝送モードは第２のＴＴＩの時間単位のアップリンクデータ伝送に用いられ、前記第１のＴＴＩの長さは前記第２のＴＴＩの長さとは異なる、アップリンク情報受信ユニットと、
前記少なくとも２つのアップリンク伝送モードについての前記情報に基づいて、前記少なくとも２つのアップリンク伝送モードを決定するように構成されるアップリンクモード決定ユニットと、
を備える端末デバイス。
【請求項３３】
伝送モードについての情報を伝送するためのシステムであって、ネットワークデバイス及び端末デバイスを備え、
前記ネットワークデバイスは、請求項１７乃至２４のいずれか一項に記載のネットワークデバイスを含み、
前記端末デバイスは、請求項２５乃至２９のいずれか一項に記載の端末デバイスを含む、
システム。
【請求項３４】
伝送モードについての情報を伝送するためのシステムであって、ネットワークデバイス及び端末デバイスを備え、
前記ネットワークデバイスは、請求項３０又は３１に記載のネットワークデバイスを含み、
前記端末デバイスは、請求項３２に記載の端末デバイスを含む、
システム。
【発明の詳細な説明】
【技術分野】
【０００１】
本発明は通信分野に関し、特に、伝送モードについての情報を伝送するための方法及びシステム、ネットワークデバイス、並びに端末デバイスに関する。
【背景技術】
【０００２】
様々な通信システムにおいて、サービスデータの伝送は、通常、ネットワークデバイスによって実行されるスケジューリングに基づいて行われる。ネットワークデバイスによって実行されるスケジューリングの時間単位は、伝送時間間隔（英語：Transmission  Time  Interval、略してＴＴＩ）である。ＴＴＩの長さが短いほど、データ伝送の往復時間（英語：Round-Trip  Time、略してＲＴＴ）が短いことを示す。技術の発達に伴い、ＲＴＴがますます短くなることが予想されるので、短いＴＴＩの伝送技術が導入されている。具体的には、ネットワークデバイスがスケジューリングをおこなうとき、従来のＴＴＩの長さよりも小さい長さを有するＴＴＩを設定することができる。ＲＴＴは、通信システムにおける重要パフォーマンス指標（英語：Key  Performance  Indicator、略してＫＰＩ）である。ＲＴＴは、送信端がデータを送信する時間と、送信端が受信端からの肯定応答を受信する時間との間の合計時間を示す（受信端は、データを受信した後すぐに肯定応答を送信する準備をする）。例えば、ネットワークデバイスは、ロング・ターム・エボリューション（英語：Long  Term  Evolution、略してＬＴＥ）システムにおける進化型ＮｏｄｅＢ（英語：Evolved  NodeB、略してｅＮＢ）であってよい。
【０００３】
関連技術では、ＬＴＥシステムにおける従来のＴＴＩの長さは１ミリ秒（英語：millisecond略してｍｓ）である。ハイブリッド自動再送要求（英語：Hybrid  Automatic  Repeat  Request、略してＨＡＲＱ）技術ベースのデータ伝送では、ＲＴＴは８ＴＴＩ、すなわち８ｍｓである。短いＴＴＩの伝送技術が導入された後、ＬＴＥシステムのＴＴＩは１ｍｓ未満の長さを有する場合がある。例えば、ダウンリンクデータ伝送では、ＴＴＩの長さは、０．２ｍｓ、或いは２つの直交周波数分割多重（英語：Orthogonal  Frequency  Division  Multiplexing、略してＯＦＤＭ）シンボルとすることができる（１ｍｓは、１２シンボル又は１４シンボルを含むことができる）。アップリンクデータ伝送では、ＴＴＩの長さは、０．２ｍｓ、或いは２つのシングルキャリア周波数分割多元接続（英語：Single-carrier  Frequency  Division  Multiple  Access、略してＳＣ−ＦＤＭＡ）シンボルとすることができる。アップリンクシンボルとダウンリンクシンボルをまとめてシンボルと呼ぶ。ＴＴＩが２つのシンボルの長さを有する場合、データ伝送のＲＴＴは１６シンボルである。その結果、ＲＴＴが短縮される。通信システムの互換性を向上させるために、通常、通信システムには異なる長さのＴＴＩが存在する（例えば、ＬＴＥシステムでは、１ｍｓの長さのＴＴＩと１ｍｓ未満の長さのＴＴＩが存在し得る）。例えば、ＬＴＥシステムの端末デバイスに対してダウンリンク伝送モードを構成するプロセスは、以下のとおりであってよい。１．ｅＮＢが、端末デバイスに通知される必要のある、ダウンリンク伝送モードに関する情報を決定する。ダウンリンク伝送モードは、１ｍｓの時間単位のＴＴＩに対応する物理ダウンリンク共有チャネル（英語：Physical  Downlink  Shared  Channel、略してＰＤＳＣＨ）と、１ｍｓ未満の時間単位のＴＴＩに対応するＰＤＳＣＨ伝送とを示すために用いられる。ダウンリンク伝送モードは、チャネル状態情報（英語：Channel  State  Information、略してＣＳＩ）測定に用いられる測定参照信号のタイプ、アンテナポート、周期又はその他の情報に対応する。２．ｅＮＢが、ダウンリンク伝送モードについての決定された情報を端末デバイスに通知する。３．端末デバイスが、ダウンリンク伝送モードに対応する測定参照信号に基づいてＣＳＩを測定し、１つのＣＳＩを取得する。４．端末デバイスが、取得されたＣＳＩをｅＮＢに送信する。
【０００４】
関連技術では、ＴＴＩの長さが異なる場合にｅＮＢがＰＤＳＣＨ伝送スケジューリングを実行するときの柔軟性は低い。
【発明の概要】
【０００５】
ＴＴＩの長さが異なる場合にｅＮＢがＰＤＳＣＨ伝送スケジューリングを実行するときの柔軟性の低さという従来技術の問題を解決するために、本発明の実施形態は、伝送モードについての情報を伝送するための方法及びシステム、ネットワークデバイス、並びに端末デバイスを提供する。技術的解決策は以下のとおりである。
【０００６】
本発明の第１の態様によれば、伝送モードについての情報を伝送する方法が提供される。本方法は、
ネットワークデバイスが、少なくとも２つのダウンリンク伝送モードについての情報を決定するステップ、
を含む。少なくとも２つのダウンリンク伝送モードのうち、第１のダウンリンク伝送モードは第１の伝送時間間隔（ＴＴＩ）の時間単位のダウンリンクデータ伝送に用いられ、第２のダウンリンク伝送モードは第２のＴＴＩの時間単位のダウンリンクデータ伝送に用いられ、第１のＴＴＩの長さは第２のＴＴＩの長さとは異なる。例えば、ＬＴＥシステム及びＬＴＥ−Ａシステムでは、第１のＴＴＩは１ｍｓの長さを有してよく、第２のＴＴＩは２つのシンボルの長さを有してよい。ダウンリンクデータ伝送は、ＰＤＳＣＨを用いて実現されてよい。
【０００７】
少なくとも２つのダウンリンク伝送モードについての情報を決定した後、ネットワークデバイスは、少なくとも２つのダウンリンク伝送モードについての情報を端末デバイスに送信してよく、端末デバイスは、少なくとも２つのダウンリンク伝送モードに基づいてダウンリンクデータを受信してよい。例えば、端末デバイスは、少なくとも２つのダウンリンク伝送モードのうち第１のダウンリンク伝送モードに基づいて、第１のＴＴＩの時間単位のダウンリンクデータ伝送を実行してよく、第２のダウンリンク伝送モードに基づいて、第２のＴＴＩの時間単位のダウンリンクデータ伝送を実行してよい。
【０００８】
本方法は、モバイル通信規格に適用することができる。モバイル通信規格は、第３世代モバイル通信規格、第４世代モバイル通信規格及び将来の第５世代モバイル通信規格のうちいずれか１つであってよい。
【０００９】
この方法では、ネットワークデバイスが、端末デバイスに対して少なくとも２つのダウンリンク伝送モードを構成する。少なくとも２つのダウンリンク伝送モードのうち、第１のダウンリンク伝送モードと第２のダウンリンク伝送モードは、異なる長さを有するＴＴＩに対応する。つまり、ネットワークデバイスは、異なる長さを有するＴＴＩに対応するダウンリンクデータ伝送に対して異なるダウンリンク伝送モードを構成し、それにより、ダウンリンクデータ伝送のスケジューリングの柔軟性が改善される。
【００１０】
任意に、少なくとも２つのダウンリンク伝送モードは更に、第３のダウンリンク伝送モードを含む。第３のダウンリンク伝送モードは、第３のＴＴＩの時間単位のダウンリンクデータ伝送に用いられてよい。第３のＴＴＩの長さは、第１のＴＴＩの長さと第２のＴＴＩの長さとは異なる。つまり、ネットワークデバイスは、端末デバイスに対して、第１、第２及び第３のダウンリンク伝送モードを含む少なくとも３つのダウンリンク伝送モードを構成してよく、３つのダウンリンク伝送モードの時間単位は異なってよい。３つのダウンリンク伝送モードは、更に、ネットワークデバイスによって実行されるスケジューリングを多様化することができる。
【００１１】
任意に、少なくとも２つのダウンリンク伝送モードのうちの第２のダウンリンク伝送モードは更に、第４のＴＴＩの時間単位のダウンリンクデータ伝送に用いられる。第４のＴＴＩの長さは第１のＴＴＩの長さとは異なり、第４のＴＴＩの長さは第２のＴＴＩの長さとは異なる。つまり、少なくとも２つのダウンリンク伝送モードのうち任意の１つは、異なる長さを有する少なくとも２つのＴＴＩに対応するダウンリンクデータ伝送に用いることができる。
【００１２】
任意に、第４のＴＴＩの長さと第２のＴＴＩの長さとの差は、予め設定された差よりも小さい。ネットワークデバイスは、長さの差がわずかである複数のＴＴＩに対応するように、１つの伝送モードを設定することができる。ＴＴＩの長さの差がわずかであるので、測定参照信号のオーバヘッドが非常に高くなることなく、測定参照信号の比較的適切な期間を設定することができる。
【００１３】
任意に、関連技術では、ネットワークデバイスは端末デバイスに対して伝送モードを１つだけ決定し、１つの伝送モードは通常１つのタイプの測定参照信号に対応する。しかしながら、本発明では、ネットワークデバイスは、端末デバイスに対して少なくとも２つのダウンリンク伝送モードを決定する。少なくとも２つのダウンリンク伝送モードは、同じタイプの測定参照信号に対応してもよく、異なるタイプの測定参照信号に対応してもよい。任意のダウンリンク伝送モードに対応する測定参照信号は、ＣＳＩ−ＲＳ、ＣＲＳ及びＣＳＩプロセスのうち任意の１つを含んでよい。
【００１４】
ＣＳＩ−ＲＳに基づいて測定により取得されたＣＳＩを報告する際にＴＴＩの長さを考慮する必要があるので、異なる長さのＴＴＩに対して同じダウンリンク伝送モードが用いられる場合、ＣＳＩ−ＲＳの周期は、異なる長さを有するＴＴＩの時間単位のダウンリンクデータ伝送をほとんど満たすことができない。しかしながら、本発明で提供される伝送モードについての情報を伝送する方法では、各ダウンリンク伝送モードは１つの長さのＴＴＩに対応することができる。したがって、ＴＴＩの長さの差に基づいて、ダウンリンク伝送モードに対してＣＳＩ−ＲＳの異なる周期を構成することができる。
【００１５】
留意すべきこととして、ＴＴＩの長さに基づいてＣＳＩ−ＲＳの周期を構成することについては、関連技術を参照されたい。ここでは詳細の説明を省略する。
【００１６】
任意に、第２のＴＴＩの長さは１ミリ秒であり、第１のＴＴＩの長さは第２のＴＴＩの長さよりも小さく、ダウンリンク伝送モードのタイプは伝送モード（ＴＭ）１〜ＴＭ１０を含む。ＴＭ１〜ＴＭ１０では、ＴＭ１又はＴＭ２が主にデータ伝送のロバスト性を確保するために用いられ、ＴＭ９及びＴＭ１０が主にデータ伝送効率の向上に用いられると見なされてよい。第１のダウンリンク伝送モード及び第２のダウンリンク伝送モードのタイプは、以下のとおりであってよい。
【００１７】
第２のダウンリンク伝送モードのタイプはＴＭ１又はＴＭ２であり、第１のダウンリンク伝送モードのタイプはＴＭ９又はＴＭ１０である。又は、
第２のダウンリンク伝送モードのタイプはＴＭ９又はＴＭ１０であり、第１のダウンリンク伝送モードのタイプはＴＭ１〜ＴＭ８のうち任意の１つである。又は、
第２のダウンリンク伝送モードのタイプはＴＭ１又はＴＭ２であり、第１のダウンリンク伝送モードのタイプはＴＭ１〜ＴＭ８のうち任意の１つである。
【００１８】
留意すべきこととして、ダウンリンク伝送モードのタイプの上記構成は一例に過ぎない。後に新たなダウンリンク伝送モードが導入される場合、例えばＴＭ１１及びＴＭ１２が新たに導入される場合、新たなダウンリンク伝送モードも同じ方法を用いて構成されてよい。
【００１９】
関連技術では、ユーザ装置は、ＵＥに対して伝送モードを１つだけ決定する。通常、１つの伝送モードにはアンテナポート構成方法が１つだけ存在する。一方、本発明では、ユーザ装置は、ＵＥに対して少なくとも２つのダウンリンク伝送モードを決定する。少なくとも２つのダウンリンク伝送モードのうち、少なくとも１つの測定参照信号のアンテナポートは、少なくとも２つのダウンリンク伝送モードのうち任意の１つに対して構成される。更に、少なくとも２つのダウンリンク伝送モードのうちの第１のダウンリンク伝送モード及び第２のダウンリンク伝送モードのアンテナポートの構成状況は、異なってよい。第１のダウンリンク伝送モード及び第２のダウンリンク伝送モードのアンテナポートの構成状況は、以下の３つのケースを含んでよい。
【００２０】
ケース１：第１のダウンリンク伝送モードのアンテナポートのポート番号は第２のダウンリンク伝送モードのアンテナポートのポート番号とは異なり、且つ、第１のダウンリンク伝送モードと第２のダウンリンク伝送モードは異なる数のアンテナポートに対応する。例えば、第１のダウンリンク伝送モードには２つのアンテナポートがあり、ポート番号は０と１であり、第２のダウンリンク伝送モードには１つのアンテナポートがあり、ポート番号は３である。
【００２１】
ケース２：第１のダウンリンク伝送モードのアンテナポートのポート番号は第２のダウンリンク伝送モードのアンテナポートのポート番号とは異なるが、第１のダウンリンク伝送モードと第２のダウンリンク伝送モードは同じ数のアンテナポートに対応する。例えば、第１のダウンリンク伝送モードには２つのアンテナポートがあり、ポート番号は０と１であり、第２のダウンリンク伝送モードには１つのアンテナポートがあり、ポート番号は３である。
【００２２】
ケース３：第１のダウンリンク伝送モードのアンテナポートのポート番号は、第２のダウンリンク伝送モードのアンテナポートのポート番号と同じであり、第１のダウンリンク伝送モードと第２のダウンリンク伝送モードにおいてアンテナポートの数は異なる。例えば、第１のダウンリンク伝送モードには２つのアンテナポートがあり、ポート番号が０と１であり、第２のダウンリンク伝送モードには１つのアンテナポートがあり、ポート番号が０である場合、同じポート番号０があるが、アンテナポートの数は、第２のダウンリンク伝送モードと第１のダウンリンク伝送モードとで異なる。
【００２３】
任意に、ネットワークデバイスが、少なくとも２つのダウンリンク伝送モードについての情報を端末デバイスに送信するステップは、
ネットワークデバイスが、物理レイヤシグナリング又は無線リソース制御（英語：Radio  Resource  Control、略してＲＲＣ）シグナリングを用いて、少なくとも２つのダウンリンク伝送モードについての情報を端末デバイスに送信するステップ、
を含む。更に、ネットワークデバイスは、媒体アクセス制御（英語：Media  Access  Control、略してＭＡＣ）レイヤシグナリングを用いて、ダウンリンク伝送モードについての情報を端末デバイスに送信してよい。
【００２４】
本発明の第２の態様によれば、伝送モードについての情報を伝送する方法が提供される。本方法は、
端末デバイスが、ネットワークデバイスによって送信された少なくとも２つのダウンリンク伝送モードについての情報を受信するステップであって、少なくとも２つのダウンリンク伝送モードのうち、第１のダウンリンク伝送モードは第１のＴＴＩの時間単位のダウンリンクデータ伝送に用いられ、第２のダウンリンク伝送モードは第２のＴＴＩの時間単位のダウンリンクデータ伝送に用いられ、第１のＴＴＩの長さは第２のＴＴＩの長さとは異なる、ステップと、
ネットワークデバイスによって送信された少なくとも２つのダウンリンク伝送モードについての情報を取得した後、端末デバイスが、少なくとも２つのダウンリンク伝送モードについての情報を解析し、少なくとも２つのダウンリンク伝送モードについての情報に基づいて、少なくとも２つのダウンリンク伝送モードを決定するステップと、
少なくとも２つのダウンリンク伝送モードを決定した後、端末デバイスが、少なくとも２つのダウンリンク伝送モードに基づいてダウンリンクデータを受信するステップと、
を含む。例えば、端末デバイスは、少なくとも２つのダウンリンク伝送モードのうち第１のダウンリンク伝送モードに基づいて、第１のＴＴＩに対応するダウンリンクデータを受信し、第２のダウンリンク伝送モードに基づいて、第２のＴＴＩに対応するダウンリンクデータを受信することができる。
【００２５】
任意に、少なくとも２つのダウンリンク伝送モードは更に、第３のダウンリンク伝送モードを含む。第３のダウンリンク伝送モードは第３のＴＴＩの時間単位のダウンリンクデータ伝送に用いられ、第３のＴＴＩの長さは第１のＴＴＩの長さとは異なる。第３のＴＴＩの長さは第２のＴＴＩの長さとは異なる。
【００２６】
任意に、少なくとも２つのダウンリンク伝送モードのうちの第２のダウンリンク伝送モードは更に、第４のＴＴＩの時間単位のダウンリンクデータ伝送に用いられ、第４のＴＴＩの長さは第１のＴＴＩの長さとは異なる。第４のＴＴＩの長さは第２のＴＴＩの長さとは異なる。
【００２７】
任意に、少なくとも２つのダウンリンク伝送モードの各々は測定参照信号に対応する。
【００２８】
少なくとも２つのダウンリンク伝送モードについての情報に基づいて少なくとも２つのダウンリンク伝送モードを決定するステップの後、本方法は更に、
端末デバイスが、第１のダウンリンク伝送モードに対応する測定参照信号に基づいて、測定により第１のＣＳＩを取得し、第２のダウンリンク伝送モードに対応する測定参照信号に基づいて、測定により第２のＣＳＩを取得するステップであって、ＣＳＩは、チャネル品質インジケータ（英語：Channel  Quality  Indicator、略してＣＱＩ）、プリコーディング行列指示（英語：Precoding  Matrix  Indication、略してＰＭＩ）及びランクインジケーション（英語：Rank  Indication、略してＲＩ）のうち少なくとも１つを含んでよく、ＣＳＩの正確性を改善できるように、異なるＣＳＩは、異なるダウンリンク伝送モードに対応する測定参照信号に基づいて測定により取得される、ステップと、
端末デバイスが、第１のＣＳＩ及び第２のＣＳＩをネットワークデバイスに送信するステップと、
を含む。ネットワークデバイスは、端末デバイスによって送信された２つのＣＳＩに基づいて、端末デバイスに変調・符号化スキーム  （英語：Modulation  and  Coding  Scheme、略してＭＣＳ）を割り当て、ＭＣＳ指示情報を端末デバイスに送信してよい。ＭＣＳ指示情報は、ダウンリンク物理チャネル（例えばＰＤＳＣＨ）のための変調・符号化スキームを示すのに用いられる。
【００２９】
任意に、少なくとも２つのダウンリンク伝送モードの各々は測定参照信号に対応する。
【００３０】
少なくとも２つのダウンリンク伝送モードについての情報に基づいて少なくとも２つのダウンリンク伝送モードを決定するステップの後、本方法は更に、
端末デバイスが、第１のダウンリンク伝送モードに対応する測定参照信号に基づいて、測定により第１のＣＳＩを取得し、第１のＣＳＩをネットワークデバイスに送信するステップ、
を含む。つまり、端末デバイスは、第１のダウンリンク伝送モードと第２のダウンリンク伝送モードとのうち１つに対応する測定参照信号を用いて、ＣＳＩを測定してよい。例えば、２つの測定参照信号が同じタイプである（例えば、測定参照信号が両方ともＣＲＳである）場合、ＣＳＩは、１つのダウンリンク伝送モードに対応する測定参照信号を用いて測定される。よって、測定参照信号によって消費され且つＣＳＩ伝送で消費されるネットワークリソースを削減することができる。
【００３１】
本発明の第３の態様によれば、伝送モードについての情報を伝送する方法が提供される。本方法は、
ネットワークデバイスが、少なくとも２つのアップリンク伝送モードについての情報を決定するステップであって、少なくとも２つのアップリンク伝送モードのうち、第１のアップリンク伝送モードは第１のＴＴＩの時間単位のアップリンクデータ伝送に用いられ、第２のアップリンク伝送モードは第２のＴＴＩの時間単位のアップリンクデータ伝送に用いられ、第１のＴＴＩの長さは第２のＴＴＩの長さとは異なる、ステップと、
ネットワークデバイスが、少なくとも２つのアップリンク伝送モードについての情報を端末デバイスに送信するステップと、
を含む。
【００３２】
任意に、少なくとも２つのアップリンク伝送モードについての情報を端末デバイスに送信するステップは、
ネットワークデバイスが、物理レイヤシグナリング又はＲＲＣシグナリングを用いて、少なくとも２つのアップリンク伝送モードについての情報を端末デバイスに送信するステップ、
を含む。更に、ネットワークデバイスは、ＭＡＣレイヤシグナリングを用いて、アップリンク伝送モードについての情報を端末デバイスに送信してよい。
【００３３】
本発明の第４の態様によれば、伝送モードについての情報を伝送する方法が提供される。本方法は、
ネットワークデバイスによって送信された少なくとも２つのアップリンク伝送モードについての情報を受信するステップであって、少なくとも２つのアップリンク伝送モードのうち、第１のアップリンク伝送モードは第１のＴＴＩの時間単位のアップリンクデータ伝送に用いられ、第２のアップリンク伝送モードは第２のＴＴＩの時間単位のアップリンクデータ伝送に用いられ、第１のＴＴＩの長さは第２のＴＴＩの長さとは異なる、ステップと、
少なくとも２つのアップリンク伝送モードについての情報に基づいて、少なくとも２つのアップリンク伝送モードを決定するステップと、
を含む。
【００３４】
本発明の第５の態様によれば、ネットワークデバイスが提供される。本ネットワークデバイスは、
少なくとも２つのダウンリンク伝送モードについての情報を決定するように構成されるダウンリンク情報決定ユニットであって、少なくとも２つのダウンリンク伝送モードのうち、第１のダウンリンク伝送モードは第１の伝送時間間隔（ＴＴＩ）の時間単位のダウンリンクデータ伝送に用いられ、第２のダウンリンク伝送モードは第２のＴＴＩの時間単位のダウンリンクデータ伝送に用いられ、第１のＴＴＩの長さは第２のＴＴＩの長さとは異なる、ダウンリンク情報決定ユニットと、
少なくとも２つのダウンリンク伝送モードについての情報を端末デバイスに送信するように構成されるダウンリンク情報送信ユニットと、
を備える。
【００３５】
任意に、少なくとも２つのダウンリンク伝送モードは更に、第３のダウンリンク伝送モードを備え、
第３のダウンリンク伝送モードは第３のＴＴＩの時間単位のダウンリンクデータ伝送に用いられ、第３のＴＴＩの長さは第１のＴＴＩの長さとは異なり、第３のＴＴＩの長さは第２のＴＴＩの長さとは異なる。
【００３６】
任意に、少なくとも２つのダウンリンク伝送モードのうちの第２のダウンリンク伝送モードは更に、第４のＴＴＩの時間単位のダウンリンクデータ伝送に用いられ、第４のＴＴＩの長さは第２のＴＴＩの長さとは異なる。
【００３７】
任意に、第４のＴＴＩの長さと第２のＴＴＩの長さとの差は、予め設定された差よりも小さい。
【００３８】
任意に、少なくとも２つのダウンリンク伝送モードの各々は測定参照信号に対応する。測定参照信号は、チャネル状態情報参照信号（ＣＳＩ−ＲＳ）、共通参照信号（ＣＲＳ）及びチャネル状態情報プロセス（ＣＳＩ  ｐｒｏｃｅｓｓ）のうち任意の１つを含む。
【００３９】
任意に、第２のＴＴＩの長さは１ミリ秒であり、第１のＴＴＩの長さは第２のＴＴＩの長さよりも小さく、ダウンリンク伝送モードのタイプは伝送モード（ＴＭ）１〜ＴＭ１０を含む。
第２のダウンリンク伝送モードのタイプはＴＭ１又はＴＭ２であり、第１のダウンリンク伝送モードのタイプはＴＭ９又はＴＭ１０である。又は、
第２のダウンリンク伝送モードのタイプはＴＭ９又はＴＭ１０であり、第１のダウンリンク伝送モードのタイプはＴＭ１〜ＴＭ８のうち任意の１つである。又は、
第２のダウンリンク伝送モードのタイプはＴＭ１又はＴＭ２であり、第１のダウンリンク伝送モードのタイプはＴＭ１〜ＴＭ８のうち任意の１つである。
【００４０】
任意に、少なくとも２つのダウンリンク伝送モードのうち任意の１つは、少なくとも１つの測定参照信号のアンテナポートに対応する。
第１のダウンリンク伝送モードに対応する測定参照信号のアンテナポートのポート番号は、第２のダウンリンク伝送モードに対応する測定参照信号のアンテナポートのポート番号とは異なり、且つ、第１のダウンリンク伝送モードと第２のダウンリンク伝送モードは異なる数のアンテナポートに対応する。又は、
第１のダウンリンク伝送モードに対応する測定参照信号のアンテナポートのポート番号は、第２のダウンリンク伝送モードに対応する測定参照信号のアンテナポートのポート番号とは異なるが、第１のダウンリンク伝送モードと第２のダウンリンク伝送モードは同じ数のアンテナポートに対応する。又は、
第１のダウンリンク伝送モードに対応する測定参照信号のアンテナポートのポート番号は、第２のダウンリンク伝送モードに対応する測定参照信号のアンテナポートのポート番号と同じであり、第１のダウンリンク伝送モードに対応する測定参照信号のアンテナポートの数は、第２のダウンリンク伝送モードに対応する測定参照信号のアンテナポートの数とは異なる。
【００４１】
任意に、ダウンリンク情報送信ユニットは、具体的には、物理レイヤシグナリング又は無線リソース制御シグナリングを用いて、少なくとも２つのダウンリンク伝送モードについての情報を端末デバイスに送信するように構成される。
【００４２】
本発明の第６の態様によれば、端末デバイスが提供される。本端末デバイスは、
ネットワークデバイスによって送信された少なくとも２つのダウンリンク伝送モードについての情報を受信するように構成されるダウンリンク情報受信ユニットであって、少なくとも２つのダウンリンク伝送モードのうち、第１のダウンリンク伝送モードは第１のＴＴＩの時間単位のダウンリンクデータ伝送に用いられ、第２のダウンリンク伝送モードは第２のＴＴＩの時間単位のダウンリンクデータ伝送に用いられ、第１のＴＴＩの長さは第２のＴＴＩの長さとは異なる、ダウンリンク情報受信ユニットと、
少なくとも２つのダウンリンク伝送モードについての情報に基づいて、少なくとも２つのダウンリンク伝送モードを決定するように構成されるダウンリンクモード決定ユニットと、
を備える。
【００４３】
任意に、少なくとも２つのダウンリンク伝送モードは更に、第３のダウンリンク伝送モードを含み、
第３のダウンリンク伝送モードは第３のＴＴＩの時間単位のダウンリンクデータ伝送に用いられ、第３のＴＴＩの長さは第１のＴＴＩの長さとは異なり、第３のＴＴＩの長さは第２のＴＴＩの長さとは異なる。
【００４４】
任意に、少なくとも２つのダウンリンク伝送モードのうちの第２のダウンリンク伝送モードは更に、第４のＴＴＩの時間単位のダウンリンクデータ伝送に用いられ、第４のＴＴＩの長さは第１のＴＴＩの長さとは異なり、第４のＴＴＩの長さは第２のＴＴＩの長さとは異なる。
【００４５】
任意に、少なくとも２つのダウンリンク伝送モードの各々は測定参照信号に対応し、
本端末デバイスは更に、
第１のダウンリンク伝送モードに対応する測定参照信号に基づいて、測定により第１のＣＳＩを取得し、第２のダウンリンク伝送モードに対応する測定参照信号に基づいて、測定により第２のＣＳＩを取得するように構成される第１のＣＳＩ測定ユニットと、
第１のＣＳＩ及び第２のＣＳＩをネットワークデバイスに送信するように構成される第１のＣＳＩ送信ユニットと、
を備える。
【００４６】
任意に、少なくとも２つのダウンリンク伝送モードの各々は測定参照信号に対応し、
本端末デバイスは更に、
第１のダウンリンク伝送モードに対応する測定参照信号に基づいて、測定により第１のＣＳＩを取得するように構成される第２のＣＳＩ測定ユニットと、
第１のＣＳＩをネットワークデバイスに送信するように構成される第２のＣＳＩ送信ユニットと、
を備える。
【００４７】
本発明の第７の態様によれば、ネットワークデバイスが提供される。本ネットワークデバイスは、
少なくとも２つのアップリンク伝送モードについての情報を決定するように構成されるアップリンク情報決定ユニットであって、少なくとも２つのアップリンク伝送モードのうち、第１のアップリンク伝送モードは第１のＴＴＩの時間単位のアップリンクデータ伝送に用いられ、第２のアップリンク伝送モードは第２のＴＴＩの時間単位のアップリンクデータ伝送に用いられ、第１のＴＴＩの長さは第２のＴＴＩの長さとは異なる、アップリンク情報決定ユニットと、
少なくとも２つのアップリンク伝送モードについての情報を端末デバイスに送信するように構成されるアップリンク情報送信ユニットと、
を備える。
【００４８】
任意に、アップリンク情報送信ユニットは、具体的には、物理レイヤシグナリング又は無線リソース制御シグナリングを用いて、少なくとも２つのアップリンク伝送モードについての情報を端末デバイスに送信するように構成される。
【００４９】
本発明の第８の態様によれば、端末デバイスが提供される。本端末デバイスは、
ネットワークデバイスによって送信された少なくとも２つのアップリンク伝送モードについての情報を受信するように構成されるアップリンク情報受信ユニットであって、少なくとも２つのアップリンク伝送モードのうち、第１のアップリンク伝送モードは第１のＴＴＩの時間単位のアップリンクデータ伝送に用いられ、第２のアップリンク伝送モードは第２のＴＴＩの時間単位のアップリンクデータ伝送に用いられ、第１のＴＴＩの長さは第２のＴＴＩの長さとは異なる、アップリンク情報受信ユニットと、
少なくとも２つのアップリンク伝送モードについての情報に基づいて、少なくとも２つのアップリンク伝送モードを決定するように構成されるアップリンクモード決定ユニットと、
を備える。
【００５０】
本発明の第９の態様によれば、ネットワークデバイスが提供される。本ネットワークデバイスは、プロセッサ、メモリ、ネットワークインタフェース及びバスを備える。バスは、プロセッサ、メモリ及びネットワークインタフェースを接続するように構成される。プロセッサは、メモリに記憶されたプログラムを実行するように構成される。
【００５１】
プロセッサは、少なくとも２つのダウンリンク伝送モードについての情報を決定するように構成される。少なくとも２つのダウンリンク伝送モードのうち、第１のダウンリンク伝送モードは第１の伝送時間間隔（ＴＴＩ）の時間単位のダウンリンクデータ伝送に用いられ、第２のダウンリンク伝送モードは第２のＴＴＩの時間単位のダウンリンクデータ伝送に用いられる。第１のＴＴＩの長さは第２のＴＴＩの長さとは異なる。
【００５２】
ネットワークインタフェースは、少なくとも２つのダウンリンク伝送モードについての情報を端末デバイスに送信するように構成される。
【００５３】
任意に、少なくとも２つのダウンリンク伝送モードは更に、第３のダウンリンク伝送モードを含み、
第３のダウンリンク伝送モードは第３のＴＴＩの時間単位のダウンリンクデータ伝送に用いられ、第３のＴＴＩの長さは第１のＴＴＩの長さとは異なり、第３のＴＴＩの長さは第２のＴＴＩの長さとは異なる。
【００５４】
任意に、少なくとも２つのダウンリンク伝送モードのうちの第２のダウンリンク伝送モードは更に、第４のＴＴＩの時間単位のダウンリンクデータ伝送に用いられ、第４のＴＴＩの長さは第２のＴＴＩの長さとは異なる。
【００５５】
任意に、第４のＴＴＩの長さと第２のＴＴＩの長さとの差は、予め設定された差よりも小さい。
【００５６】
任意に、少なくとも２つのダウンリンク伝送モードの各々は測定参照信号に対応する。測定参照信号は、チャネル状態情報参照信号（ＣＳＩ−ＲＳ）、共通参照信号（ＣＲＳ）及びチャネル状態情報プロセス（ＣＳＩ  ｐｒｏｃｅｓｓ）のうち任意の１つを含む。
【００５７】
任意に、第２のＴＴＩの長さは１ミリ秒であり、第１のＴＴＩの長さは第２のＴＴＩの長さよりも小さく、ダウンリンク伝送モードのタイプは伝送モード（ＴＭ）１〜ＴＭ１０を含む。
第２のダウンリンク伝送モードのタイプはＴＭ１又はＴＭ２であり、第１のダウンリンク伝送モードのタイプはＴＭ９又はＴＭ１０である。又は、
第２のダウンリンク伝送モードのタイプはＴＭ９又はＴＭ１０であり、第１のダウンリンク伝送モードのタイプはＴＭ１〜ＴＭ８のうち任意の１つである。又は、
第２のダウンリンク伝送モードのタイプはＴＭ１又はＴＭ２であり、第１のダウンリンク伝送モードのタイプはＴＭ１〜ＴＭ８のうち任意の１つである。
【００５８】
任意に、少なくとも２つのダウンリンク伝送モードのうち任意の１つは、少なくとも１つの測定参照信号のアンテナポートに対応する。
第１のダウンリンク伝送モードに対応する測定参照信号のアンテナポートのポート番号は、第２のダウンリンク伝送モードに対応する測定参照信号のアンテナポートのポート番号とは異なり、且つ、第１のダウンリンク伝送モードと第２のダウンリンク伝送モードは異なる数のアンテナポートに対応する。又は、
第１のダウンリンク伝送モードに対応する測定参照信号のアンテナポートのポート番号は、第２のダウンリンク伝送モードに対応する測定参照信号のアンテナポートのポート番号とは異なるが、第１のダウンリンク伝送モードと第２のダウンリンク伝送モードは同じ数のアンテナポートに対応する。又は、
第１のダウンリンク伝送モードに対応する測定参照信号のアンテナポートのポート番号は、第２のダウンリンク伝送モードに対応する測定参照信号のアンテナポートのポート番号と同じであり、第１のダウンリンク伝送モードに対応する測定参照信号のアンテナポートの数は、第２のダウンリンク伝送モードに対応する測定参照信号のアンテナポートの数とは異なる。
【００５９】
プロセッサは、物理レイヤシグナリング又は無線リソース制御シグナリングを用いて、少なくとも２つのダウンリンク伝送モードについての情報を端末デバイスに送信するように構成される。
【００６０】
本発明の第１０の態様によれば、端末デバイスは提供される。本端末デバイスは、送信部、受信部及びプロセッサを備える。
【００６１】
受信部は、ネットワークデバイスによって送信された少なくとも２つのダウンリンク伝送モードについての情報を受信するように構成される。少なくとも２つのダウンリンク伝送モードのうち、第１のダウンリンク伝送モードは第１のＴＴＩの時間単位のダウンリンクデータ伝送に用いられ、第２のダウンリンク伝送モードは第２のＴＴＩの時間単位のダウンリンクデータ伝送に用いられ、第１のＴＴＩの長さは第２のＴＴＩの長さとは異なる。
【００６２】
プロセッサは、少なくとも２つのダウンリンク伝送モードについての情報に基づいて、少なくとも２つのダウンリンク伝送モードを決定するように構成される。
【００６３】
任意に、少なくとも２つのダウンリンク伝送モードは更に、第３のダウンリンク伝送モードを含み、
第３のダウンリンク伝送モードは第３のＴＴＩの時間単位のダウンリンクデータ伝送に用いられ、第３のＴＴＩの長さは第１のＴＴＩの長さとは異なり、第３のＴＴＩの長さは第２のＴＴＩの長さとは異なる。
【００６４】
任意に、少なくとも２つのダウンリンク伝送モードのうちの第２のダウンリンク伝送モードは更に、第４のＴＴＩの時間単位のダウンリンクデータ伝送に用いられる。第４のＴＴＩの長さは第１のＴＴＩの長さとは異なり、第４のＴＴＩの長さは第２のＴＴＩの長さとは異なる。
【００６５】
任意に、少なくとも２つのダウンリンク伝送モードの各々は測定参照信号に対応し、
プロセッサは、受信部によって受信され第１のダウンリンク伝送モードに対応する測定参照信号に基づいて、測定により第１のＣＳＩを取得し、第２のダウンリンク伝送モードに対応する測定参照信号に基づいて、測定により第２のＣＳＩを取得するように構成され、
送信部は、第１のＣＳＩ及び第２のＣＳＩをネットワークデバイスに送信するように構成される。
【００６６】
任意に、少なくとも２つのダウンリンク伝送モードの各々は測定参照信号に対応し、
プロセッサは、受信部によって受信され第１のダウンリンク伝送モードに対応する測定参照信号に基づいて、測定により第１のＣＳＩを取得するように構成され、
送信部は、第１のＣＳＩをネットワークデバイスに送信するように構成される。
【００６７】
本発明の第１１の態様によれば、ネットワークデバイスが提供される。本ネットワークデバイスは、プロセッサ、メモリ、ネットワークインタフェース及びバスを備える。バスは、プロセッサ、メモリ及びネットワークインタフェースを接続するように構成される。プロセッサは、メモリに記憶されたプログラムを実行するように構成される。
【００６８】
プロセッサは、少なくとも２つのアップリンク伝送モードについての情報を決定するように構成される。少なくとも２つのアップリンク伝送モードのうち、第１のアップリンク伝送モードは第１のＴＴＩの時間単位のアップリンクデータ伝送に用いられ、第２のアップリンク伝送モードは第２のＴＴＩの時間単位のアップリンクデータ伝送に用いられ、第１のＴＴＩの長さは第２のＴＴＩの長さとは異なる。
【００６９】
ネットワークインタフェースは、少なくとも２つのアップリンク伝送モードについての情報を端末デバイスに送信するように構成される。
【００７０】
ネットワークインタフェースは、具体的には、物理レイヤシグナリング又は無線リソース制御シグナリングを用いて、少なくとも２つのアップリンク伝送モードについての情報を端末デバイスに送信するように構成される。
【００７１】
本発明の第１２の態様によれば、端末デバイスが提供される。本端末デバイスは、受信部及びプロセッサを備える。
【００７２】
受信部は、ネットワークデバイスによって送信された少なくとも２つのアップリンク伝送モードについての情報を受信するように構成される。少なくとも２つのアップリンク伝送モードのうち、第１のアップリンク伝送モードは第１のＴＴＩの時間単位のアップリンクデータ伝送に用いられ、第２のアップリンク伝送モードは第２のＴＴＩの時間単位のアップリンクデータ伝送に用いられ、第１のＴＴＩの長さは第２のＴＴＩの長さとは異なる。
【００７３】
プロセッサは、少なくとも２つのアップリンク伝送モードについての情報に基づいて、少なくとも２つのアップリンク伝送モードを決定するように構成される。
【００７４】
本発明の第１３の態様によれば、伝送モードについての情報を伝送するためのシステムが提供される。本システムは、ネットワークデバイス及び端末デバイスを備え、
ネットワークデバイスは、第５の態様又は第９の態様において提供されるネットワークデバイスを含み、
端末デバイスは、第６の態様又は第１０の態様において提供される端末デバイスを含む。
【００７５】
本発明の第１４の態様によれば、伝送モードについての情報を伝送するためのシステムが提供される。本システムは、ネットワークデバイス及び端末デバイスを含み、
ネットワークデバイスは、第７の態様又は第１１の態様において提供されるネットワークデバイスを含み、
端末デバイスは、第８の態様又は第１２の態様において提供される端末デバイスを含む。
【００７６】
本発明の実施形態において提供される技術的解決策は、以下の有益な効果をもたらす。
【００７７】
端末デバイスに対して、少なくとも２つのダウンリンク伝送モードが構成される。少なくとも２つのダウンリンク伝送モードのうちの第１のダウンリンク伝送モードと第２のダウンリンク伝送モードは、異なる長さを有するＴＴＩに対応する。これにより、関連技術における、ＴＴＩの長さが異なる場合にｅＮＢがＰＤＳＣＨ伝送スケジューリングを実行するときの柔軟性の低さという問題が解決され、ダウンリンクデータ伝送のスケジューリングの柔軟性が改善される。
【図面の簡単な説明】
【００７８】
本発明の実施形態における技術的解決策をより明確に説明するために、実施形態を説明するために必要な添付図面を簡単に説明する。当然ながら、添付図面は本発明の一部の実施形態を示すに過ぎない。当業者であれば、創意工夫なしにこれらの添付図面から他の図面を更に導出することができるであろう。
【００７９】
【図１−１】本発明の各実施形態における、伝送モードについての情報を伝送する方法の実施環境の概略図である。
【図１−２】長さが０．５ｍｓであるＴＴＩに対応するダウンリンク及びアップリンクのデータ伝送の概略図である。
【図２】本発明の実施形態に係る、ダウンリンク伝送モードについての情報を伝送するための方法のフローチャートである。
【図３】本発明の実施形態に係る、ダウンリンク伝送モードについての情報を伝送するための方法のフローチャートである。
【図４−１】本発明の実施形態に係る、ダウンリンク伝送モードについての情報を伝送するための方法のフローチャートである。
【図４−２】図４−１に示される実施形態におけるＣＳＩの取得及び送信のフローチャートである。
【図４−３】図４−１に示される実施形態におけるＣＳＩの取得及び送信の別のフローチャートである。
【図５】本発明の実施形態に係る、アップリンク伝送モードについての情報を伝送するための方法のフローチャートである。
【図６】本発明の実施形態に係る、アップリンク伝送モードについての情報を伝送するための方法のフローチャートである。
【図７】本発明の実施形態に係る、アップリンク伝送モードについての情報を伝送するための方法のフローチャートである。
【図８】本発明の実施形態に係るネットワークデバイスのブロック図である。
【図９−１】本発明の実施形態に係る端末デバイスのブロック図である。
【図９−２】本発明の実施形態に係る別の端末デバイスのブロック図である。
【図９−３】本発明の実施形態に係る別の端末デバイスのブロック図である。
【図１０】本発明の実施形態に係る別のネットワークデバイスのブロック図である。
【図１１】本発明の実施形態に係る端末デバイスのブロック図である。
【図１２】本発明の実施形態に係る別のネットワークデバイスのブロック図である。
【図１３】本発明の実施形態に係る別の端末デバイスのブロック図である。
【図１４】本発明の実施形態に係る別のネットワークデバイスのブロック図である。
【図１５】本発明の実施形態に係る別の端末デバイスのブロック図である。
【００８０】
以上の添付図面は、本発明の具体的な実施形態を示す。より詳細な説明は以下に提供される。添付図面及びテキストの説明は、本発明の思想の範囲を任意の方式に限定することを意図するものではなく、特定の実施形態を参照して当業者に本発明の概念を説明することを意図するものである。
【発明を実施するための形態】
【００８１】
本発明の目的、技術的解決策及び利点をより明確にするために、以下、更に、添付図面を参照して本発明の実施方式を詳細に説明する。
【００８２】
本発明の実施形態の技術的解決策は、例えば、ＧＭＳ（Global  System  of  Mobile  Communications）システム、符号分割多元接続（Code  Division  Multiple  Access，  ＣＤＭＡ）システム、広帯域符号分割多元接続（Wideband  Code  Division  Multiple  Access，ＷＣＤＭＡ）システム、汎用パケット無線システム（General  Packet  Radio  Service，ＧＰＲＳ）システム、ＬＴＥシステム、ユニバーサル移動体通信システム（Universal  Mobile  Telecommunications  System，ＵＭＴＳ）、将来の５Ｇ通信システムなど、無線セルラネットワークの様々な通信システムに適用することができる。本発明の実施形態ではこれに限定されない。
【００８３】
本発明の実施形態における技術的解決策は主に、ロング・ターム・エボリューション（Long  Term  Evolution、ＬＴＥ）システムとLong  Term  Evolution-Advancedシステムに適用され、特にＬＴＥを用いたライセンス補助アクセス（ＬＡＡ−ＬＴＥ，Licensed-Assisted  Access  Using  LTE）システム又はＳＡ−ＬＴＥ（Stand-alone  Long  Term  Evolution，ＳＡ−ＬＴＥ）システムに適用される。本発明の実施形態が適用される通信システムにおいて、ネットワーク要素は、アクセスネットワークデバイス（ネットワークデバイスとも呼ばれる）及び端末デバイス（ユーザ装置とも呼ばれる）である。
【００８４】
図１−１は、本発明の各実施形態における、伝送モードについての情報を伝送する方法の実施環境の概略図である。本実施環境は、ネットワークデバイス１１及び端末デバイス１２を含んでよい。
【００８５】
ネットワークデバイス１１は、ＬＴＥシステム、ロング・ターム・エボリューション・アドバンスド（英語：Long  Term  Evolution-Advanced、略してＬＴＥ−Ａ）システム、又は将来の５ＧネットワークシステムにおけるｅＮＢ、マクロ基地局、マイクロ基地局（「スモールセル」とも呼ばれる）、ピコセル、アクセスポイント（英語：Access  Point、略してＡＰ）、伝送ポイント（英語：Transmission  Point、略してＴＰ）などであってよい。ネットワークデバイス１１は、従来のＴＴＩ伝送技術と短いＴＴＩ伝送技術をサポートする装置である。
【００８６】
この実施環境において、端末デバイスは、ユーザ装置（英語：User  Equipment、略してＵＥ）、移動局（英語：Mobile  Station、略してＭＳ）、モバイル端末（英語：Mobile  Terminal）などと呼ばれることもある。端末デバイスは、無線アクセスネットワーク（英語：Radio  Access  Network、略してＲＡＮ）を用いて、１つ以上のコアネットワークと双方向に通信することができる。例えば、端末デバイスは、携帯電話（或いは「セルラ」フォンと呼ばれる）又はモバイル端末を備えたコンピュータであってよい。例えば、端末デバイスは、ポータブル、ポケットサイズ、ハンドヘルド型、コンピュータ内蔵型、或いは車載のモバイル装置であってよく、無線アクセスネットワークを介して音声及び／又はデータを交換することができる。この実施環境においては、端末デバイス１２の数は限定されない。図１−１に、２つの端末デバイス１２を示す。一方の端末デバイス１２１は、従来のＴＴＩ伝送技術のみをサポートするデバイスであり、他方の端末デバイス１２２は、従来のＴＴＩ伝送技術と短いＴＴＩ伝送技術とをサポートするデバイスである。モバイル通信規格では、ネットワークデバイス１１は、短いＴＴＩ伝送技術又は従来のＴＴＩ伝送技術を用いて、端末デバイス１２２と双方向に通信することができ、ネットワークデバイス１１は、従来のＴＴＩ伝送技術を用いて、端末デバイス１２１と双方向に通信することができる。モバイル通信規格は、第３世代モバイル通信規格、第４世代モバイル通信規格及び将来の第５世代モバイル通信規格のうちいずれか１つであってよい。図１−２に示されるように、図１−２は、１つのタイムスロットすなわち０．５ｍｓの長さを有するＴＴＩに対応する、ダウンリンク及びアップリンクのデータ伝送プロセスの概略図である。各ブロックｆは１つのタイムスロットを表し、ブロック内の数字はタイムスロットの数を表す。ネットワークデバイスは、ダウンリンク物理チャネルＤを用いて、タイムスロット３で端末デバイスにデータを送信する。端末デバイスが受信されたデータを正しく復調及び復号した場合、端末デバイスは、アップリンク物理チャネルＵを用いて、タイムスロット７でネットワークデバイスに確認応答（英語：Acknowledgement、略してＡＣＫ）をフィードバックする。又は、端末デバイスが受信されたデータを正しく復調及び復号できなかった場合、端末デバイスは、アップリンク物理チャネルＵを用いて、タイムスロット７でネットワークデバイスに否定応答（英語：Negative  Acknowledgment、略してＮＡＣＫ）をフィードバックする。ネットワークデバイスは、受信されたＡＣＫ又はＮＡＣＫに基づいて、ダウンリンク物理チャネルＤを用いてタイムスロット１１において新たなデータ伝送又は再送処理をおこなうか否かを決定する。フィードバックされるＡＣＫ及びＮＡＣＫは、総称してＨＡＲＱ−ＡＣＫ情報とも呼ばれることがある。したがって、１つのタイムスロットの長さを有するＴＴＩに基づいてデータ伝送をおこなうとき、データ伝送のＲＴＴは８タイムスロット、すなわち４ｍｓである。１タイムスロットの長さを有するＴＴＩに基づいておこなわれるデータ伝送の遅延は、１ｍｓの長さを有するＴＴＩに対応するデータ伝送の遅延よりも短い（１ｍｓの長さを有す���ＴＴＩに対応するデータ伝送では、ＲＴＴは対応して８ｍｓに増加する）。ＴＴＩは、複数の長さを有することができる。例えば、ＴＴＩの長さは、１個、２個、３個、４個、５個、６個又は７個のシンボルであってよい（アップリンクデータ伝送シンボル又はダウンリンクデータ伝送シンボル）。或いは、ＴＴＩの長さは、１個、２個、３個、４個、５個、６個、７個のシンボルのうち、少なくとも２つの異なる長さを有するＴＴＩの組合わせであってよい。例えば、１ｍｓは、それぞれ４つ、３つ、４つ、３つのシンボルである長さを有する４つのＴＴＩを含み、或いは４つ、３つ、３つ、４つのシンボルである長さを有する４つのＴＴＩを含み、或いは他の異なる長さのＴＴＩの組合わせを含む。同様に、そのＴＴＩが１ｍｓ未満の長さであるデータパケットは、短ＴＴＩデータパケットと呼ぶことができる。周波数領域での短ＴＴＩデータパケットの伝送は、連続的に分散されてもよく、非連続的に分散されてもよい。
【００８７】
図２は、本発明の実施形態に係る、ダウンリンク伝送モードについての情報を伝送するための方法のフローチャートである。本方法は、図１−１に示される実施環境のネットワークデバイスに適用されてよい。ダウンリンク伝送モードについての情報を伝送するための方法は、以下のステップを含んでよい。
【００８８】
ステップ２０１：少なくとも２つのダウンリンク伝送モードについての情報を決定する。少なくとも２つのダウンリンク伝送モードのうち、第１のダウンリンク伝送モードは第１のＴＴＩの時間単位のダウンリンクデータ伝送に用いられ、第２のダウンリンク伝送モードは第２のＴＴＩの時間単位のダウンリンクデータ伝送に用いられる。第１のＴＴＩの長さは第２のＴＴＩの長さとは異なる。
【００８９】
ステップ２０２：少なくとも２つのダウンリンク伝送モードについての情報を端末デバイスに送信する。
【００９０】
本発明の本実施形態の具体的内容及び実施方式については、図４−１に示される実施形態を参照されたい。ここでは詳細の説明を省略する。
【００９１】
要するに、本発明の本実施形態において提供されるダウンリンク伝送モードについての情報を伝送するための方法では、端末デバイスに対して少なくとも２つのダウンリンク伝送モードが構成される。少なくとも２つのダウンリンク伝送モードのうちの第１のダウンリンク伝送モードと第２のダウンリンク伝送モードは、異なる長さを有するＴＴＩに対応する。これにより、関連技術における、ＴＴＩの長さが異なる場合にｅＮＢがＰＤＳＣＨ伝送スケジューリングを実行するときの柔軟性の低さという問題が解決され、ダウンリンクデータ伝送のスケジューリングの柔軟性が改善される。
【００９２】
図３は、本発明の実施形態に係る、ダウンリンク伝送モードについての情報を伝送するための方法のフローチャートである。本方法は、図１−１に示される実施環境の端末デバイスに適用されてよい。ダウンリンク伝送モードについての情報を伝送するための方法は、以下のステップを含んでよい。
【００９３】
ステップ３０１：ネットワークデバイスによって送信された少なくとも２つのダウンリンク伝送モードについての情報を受信する。少なくとも２つのダウンリンク伝送モードのうち、第１のダウンリンク伝送モードは第１のＴＴＩの時間単位のダウンリンクデータ伝送に用いられ、第２のダウンリンク伝送モードは第２のＴＴＩの時間単位のダウンリンクデータ伝送に用いられる。第１のＴＴＩの長さは第２のＴＴＩの長さとは異なる。
【００９４】
ステップ３０２：少なくとも２つのダウンリンク伝送モードについての情報に基づいて、少なくとも２つのダウンリンク伝送モードを決定する。
【００９５】
本発明の本実施形態の具体的内容及び実施方式については、図４−１に示される実施形態を参照されたい。ここでは詳細の説明を省略する。
【００９６】
要するに、本発明の本実施形態において提供されるダウンリンク伝送モードについての情報を伝送するための方法では、ダウンリンク伝送モードは、ネットワークデバイスによって送信された少なくとも２つのダウンリンク伝送モードについての情報に基づいて、決定される。少なくとも２つのダウンリンク伝送モードのうちの第１のダウンリンク伝送モードと第２のダウンリンク伝送モードは、異なる長さを有するＴＴＩに対応する。これにより、関連技術における、ＴＴＩの長さが異なる場合にｅＮＢがＰＤＳＣＨ伝送スケジューリングを実行するときの柔軟性の低さという問題が解決され、ダウンリンクデータ伝送のスケジューリングの柔軟性が改善される。
【００９７】
図４−１は、本発明の実施形態に係る、ダウンリンク伝送モードについての情報を伝送するための方法のフローチャートである。本方法は、図１−１に示される実施環境に適用されてよい。ダウンリンク伝送モードについての情報を伝送するための方法は、以下のステップを含んでよい。
【００９８】
ステップ４０１：ネットワークデバイスが、少なくとも２つのダウンリンク伝送モードについての情報を決定する。
【００９９】
本発明の本実施形態において提供されるダウンリンク伝送モードについての情報を伝送するための方法が採用されると、ネットワークデバイスは、第１の少なくとも２つのダウンリンク伝送モードについての情報を決定することができる。少なくとも２つのダウンリンク伝送モードでは、第１のダウンリンク伝送モードは第１のＴＴＩの時間単位のダウンリンクデータ伝送に用いられ、第２のダウンリンク伝送モードは第２のＴＴＩの時間単位のダウンリンクデータ伝送に用いられる。第１のＴＴＩの長さは第２のＴＴＩの長さとは異なる。つまり、第１のダウンリンク伝送モードと第２のダウンリンク伝送モードは、異なる長さを有するＴＴＩに対応する。第１のダウンリンク伝送モードは、少なくとも２つのダウンリンク伝送モードのうち任意の１つであり、第２のダウンリンク伝送モードは、少なくとも２つのダウンリンク伝送モードのうち、第１のダウンリンク伝送モード以外の任意のダウンリンク伝送モードである。ダウンリンク伝送モードのデータは、ＰＤＳＣＨ又は、無線通信規格に新たに導入された、同じ機能であるが異なる名前であるチャネルを用いて、伝送することができる。
【０１００】
任意に、少なくとも２つのダウンリンク伝送モードは、従来のＴＴＩの時間単位に対応する少なくとも１つのダウンリンク伝送モードを含んでよい。よって、本発明の本実施形態において提供されるダウンリンク伝送モードについての情報を伝送するための方法の下位互換性（新しい改良されたバージョンの製品が、古い又は少ない機能バージョンの製品で動作を続ける）を向上させることができる。例えば、ＬＴＥシステム及びＬＴＥ−Ａシステムでは、第１のＴＴＩは２つのシンボルの長さを有するＴＴＩであり、第２のＴＴＩは１ｍｓの長さを有する従来のＴＴＩであってよい。
【０１０１】
周波数次元の観点から、最小単位はサブキャリアである。時間次元と周波数次元の両方の観点から、アンテナポート伝送に用いられるリソースの最小単位はリソース要素（英語：Resource  Element、略してＲＥ）である。１つのＲＥは時間領域に１つのシンボルを占有し、周波数領域に１つのサブキャリアを占有する。リソース要素グループ（英語：Resource  Element  Group、略してＲＥＧ）は、整数個のＲＥを含むことができる。例えば、１つのＲＥＧは４個又は１６個のＲＥを含むことができる。１つの物理リソースブロック（英語：Physical  Resource  Block、略してＰＲＢ）は、時間領域に１つのタイムスロットを含み、周波数領域に１２個のサブキャリアを含む。１つのサブフレームは１つのＰＲＢペアを含む。１つのリソースブロック（英語：Resource  Block、略してＲＢ）は、時間領域に１つのサブフレームを占有し、周波数領域に１２個のサブキャリアを占有する。リソースブロックグループ（英語：Resource  Block  Group、略してＲＢＧ）は、整数個のＰＲＢを含むことができる。例えば、１つのＲＢＧは、１個、２個、３個又は４個のＰＲＢ、或いは別の整数個のＰＲＢを含むことができる。
【０１０２】
本発明の実施形態では、アップリンクシンボルとダウンリンクシンボルの両方をまとめてシンボルと呼ぶことがある。シンボルは、サイクリックプレフィックス（英語：Cyclic  Prefix、略してＣＰ）と情報部分を含む。情報部分はシンボルについての全ての情報を含み、ＣＰは一部の情報信号の繰返しである。
【０１０３】
留意すべきこととして、ネットワークデバイスにより端末デバイスに送信される少なくとも２つのダウンリンク伝送モードの各々は、測定参照信号に対応する。各ダウンリンク伝送モードに対応する参照信号は、ＴＴＩの長さに基づいて構成することができる。１つのダウンリンク伝送モードに対応する測定参照信号のタイプや周期などの各種パラメータは、別のダウンリンク伝送モードに対応する測定参照信号のものから独立している。ＴＴＩの長さに基づいて参照信号を構成するプロセスについては、関連技術を参照されたい。例えば、参照信号がチャネル状態情報参照信号（英語：Channel  State  Information-Reference  Signal、略してＣＳＩ−ＲＳ）であるとき、端末デバイスの処理時間を考慮すると、ＣＳＩ−ＲＳフィードバックの絶対時間は、ＴＴＩの長さが長いほど長くなる可能性があり、一方、ＣＳＩ−ＲＳフィードバックの絶対時間は、ＴＴＩの長さが短いほど短くなる可能性がある。ネットワークデバイスは、ダウンリンク伝送モードの測定参照信号の各種パラメータを構成することができ、各種パラメータを、ダウンリンク伝送モードについての情報と共に端末デバイスに送信し、又は、ダウンリンク伝送モードについての情報を送信する前に、測定参照信号の各種パラメータを端末デバイスに送信することができる。
【０１０４】
更に留意すべきこととして、ＬＴＥシステム又はＬＴＥ−Ａシステムでは、ダウンリンク伝送モードのタイプは１０個のダウンリンク伝送モードのタイプ、すなわち伝送モード（英語：Transmission  mode、略してＴＭ）１〜ＴＭ１０を含んでよい。ＴＭ１〜ＴＭ８に対応する測定参照信号は、通常、共通参照信号（英語：Common  Reference  Signal、略してＣＲＳ）であり、ＴＭ９に対応する測定参照信号は通常ＣＳＩ−ＲＳであり、ＴＭ１０に対応する測定参照信号は通常ＣＳＩプロセス（英語：ＣＳＩ−Ｐｒｏｃｅｓｓ）である。１つのＣＳＩプロセスは、非ゼロパワーＣＳＩ−ＲＳと、１つのチャネル状態情報‐干渉推定（英語：Channel  State  Information-Interference  Measurement、略してＣＳＩ−ＩＭ）とを含む。ネットワークデバイスは通常、各サブフレームでＣＲＳを送信する。各サブフレームのＣＲＳの数は、システムで構成されたＣＲＳのアンテナポートの数に関連する。ＣＲＳとは異なり、ＣＳＩ−ＲＳは通常、固定間隔でネットワークデバイスによって構成される。ＣＳＩ−ＲＳが存在するサブフレームのＣＳＩ−ＲＳの数は、システムで構成されたＣＳＩ−ＲＳのアンテナポートの数に関連する。ＣＳＩ−ＲＳの構成状況と同様に、ＣＳＩ−ＩＭも固定間隔で構成される。相違点は、ＣＳＩ−ＩＭのアンテナポートの数が固定される点である。本発明の本実施形態では、第１のダウンリンク伝送モードと第２のダウンリンク伝送モードのタイプは同じであっても異なっていてもよい。例えば、第１のダウンリンク伝送モードはＴＭ２であってよく、第２のダウンリンク伝送モードはＴＭ４であってよい。ＴＭ１〜ＴＭ１０において、ＴＭ１及びＴＭ２は比較的信頼性が高く、ＴＭ９及びＴＭ１０の伝送レイヤの数は比較的多い。具体的には、ＴＭ１〜ＴＭ１０についての情報については、関連技術を参照されたい。ここでは詳細の説明を省略する。
【０１０５】
更に、各タイプのダウンリンク伝送モードは更に、フォールバックモードを含んでよい。フォールバックモードは、送信ダイバーシティ又は単一アンテナのデータ伝送モードである。フォールバックモードは、パフォーマンスロバスト性の確保に用いられる伝送モードである（つまり、フォールバックモードは、ネットワークパフォーマンスが悪い場合に用いられる伝送モードである）。例えば、ユーザのチャネル状態が非常に良好であるとき、構成された伝送モードを用いることにより、ネットワークデバイスと端末デバイスとの間のデータ伝送のスループット（ネットワーク、デバイス、ポート、仮想回路その他の設備によって時間単位で正常に送信されたデータのデータ量）を向上させることができる。ユーザのチャネル状態が悪化すると、フォールバックモードを用いて、端末デバイスとネットワークデバイスとの間の連携を確保することができる。例えば、ＴＭ９から送信ダイバーシティ伝送モードへのフォールバックが行われ、測定参照信号がＣＳＩ−ＲＳからＣＲＳに変更される。
【０１０６】
現在、ＬＴＥシステム又はＬＴＥ−Ａシステムは、伝送モードのタイプを設定するためのいくつかの任意の方式を説明するために用いられている。例えば、第２のＴＴＩの長さは１ｍｓであり、第１のＴＴＩの長さは第２のＴＴＩの長さよりも小さい。第１のダウンリンク伝送モードと第２のダウンリンク伝送モードのタイプは、以下の３つの方式で設定されてよい。
【０１０７】
方式１：第２のダウンリンク伝送モードのタイプはＴＭ１又はＴＭ２であり、第１のダウンリンク伝送モードのタイプはＴＭ９又はＴＭ１０である。
【０１０８】
ＬＴＥシステム又はＬＴＥ−Ａシステムでは、１ｍｓは従来のＴＴＩの長さであり、１ｍｓの時間単位に対応するダウンリンクデータ伝送モードは、通常、フォールバックモードとして用いられる。したがって、１ｍｓの時間単位に対応する第２の伝送モードを、比較的信頼性の高いＴＭ１及びＴＭ２に設定することにより、第２のダウンリンク伝送モードの信頼性を向上させることができる。更に、ＴＭ９又はＴＭ１０には比較的多数の伝送レイヤが存在し、第１のダウンリンク伝送モードをＴＭ９又はＴＭ１０に設定することにより、ネットワークデバイスと端末デバイスとの間のデータ伝送のスループットを向上させることができる。
【０１０９】
方式２：第２のダウンリンク伝送モードのタイプはＴＭ９又はＴＭ１０であり、第１のダウンリンク伝送モードのタイプはＴＭ１〜ＴＭ８のうち任意の１つである。
【０１１０】
ＴＭ１〜ＴＭ８に対応する測定参照信号はＣＲＳである。各サブフレームでＣＲＳが送信されるので、ＣＲＳを測定参照信号として用いる場合、端末デバイスはＣＳＩを迅速に測定し報告することができる。これは、短遅延のサービス伝送に有利である。更に、高速シナリオでは、端末デバイスは、ＣＲＳに基づいてチャネル状態情報の変化を迅速に追跡することができ、それにより、短遅延のサービス伝送のパフォーマンスを改善することができる。更に、第２のダウンリンク伝送モードのタイプをＴＭ９又はＴＭ１０に設定することにより、ネットワークデバイスと端末デバイスとの間のデータ伝送のスループットを向上させることができる。
【０１１１】
方式３：第２のダウンリンク伝送モードのタイプはＴＭ１又はＴＭ２であり、第１のダウンリンク伝送モードのタイプはＴＭ１〜ＴＭ８のうち任意の１つである。
【０１１２】
第２のダウンリンク伝送モードの信頼性は、第２のダウンリンク伝送モードのタイプをＴＭ１又はＴＭ２に設定することによって改善することができる。第１のダウンリンク伝送モードのタイプをＴＭ１乃至ＴＭ８のうち任意の１つに設定することは、短遅延のサービス伝送に有利である。更に、高速シナリオでは、端末デバイスは、ＣＲＳに基づいてチャネル状態情報の変化を迅速に追跡することができ、それにより、短遅延のサービス伝送のパフォーマンスを改善することができる。
【０１１３】
留意すべきこととして、ダウンリンク伝送モードのタイプの上記の構成は単なる例である。後に新たなダウンリンク伝送モードが導入された場合、例えば、ＴＭ１１とＴＭ１２が新たに導入された場合、同様の方法を用いて、新たなダウンリンク伝送モードが更に構成されてよい。
【０１１４】
更に留意すべきこととして、少なくとも２つのダウンリンク伝送モードは更に、第３のダウンリンク伝送モードを含む。第３のダウンリンク伝送モードは第３のＴＴＩの時間単位のダウンリンクデータ伝送に用いられる。第３のＴＴＩの長さは第１のＴＴＩの長さとは異なり、第３のＴＴＩの長さは第２のＴＴＩの長さとは異なる。つまり、ネットワークデバイスは、端末デバイスに対して少なくとも３つのダウンリンク伝送モードを決定することができ、３つのダウンリンク伝送モードは異なるＴＴＩ長を有する。例えば、ＬＴＥシステム及びＬＴＥ−Ａシステムでは、第１のＴＴＩは３つのシンボルの長さを有し、第２のＴＴＩは１ｍｓの長さである従来のＴＴＩであり、第３のＴＴＩは２つのシンボルの長さを有する。更に、少なくとも２つのダウンリンク伝送モードは、より多くのダウンリンク伝送モードを含んでもよい。更なるダウンリンク伝送モードのケースについては、第１、第２又は第３のダウンリンク伝送モードを参照されたい。ここでは詳細の説明を省略する。
【０１１５】
更に留意すべきこととして、少なくとも２つのダウンリンク伝送モードのうちの第２のダウンリンク伝送モードは、更に、第４のＴＴＩの時間単位のダウンリンクデータ伝送に用いられてよく、第４のＴＴＩの長さは第２のＴＴＩの長さとは異なる。つまり、端末デバイスに対してネットワークデバイスによって決定されたダウンリンク伝送モードのうち、１つのダウンリンク伝送モードが、異なる長さを有する２つのＴＴＩに対応するダウンリンク伝送に用いられてよい。異なる長さを有する２つのＴＴＩは、従来のＴＴＩの長さよりも短い長さを有する２つのＴＴＩであってよい。或いは、１つのＴＴＩは、従来のＴＴＩの長さより短い長さのＴＴＩであり、他のＴＴＩは従来のＴＴＩであってよい。例えば、第４のＴＴＩの長さは１ｍｓであり、第２のＴＴＩの長さは０．７ｍｓである。更に、異なる長さを有する３つ以上のＴＴＩに対応するダウンリンク伝送には、端末デバイスに対してネットワークデバイスによって決定されるダウンリンク伝送モードのいずれか１つを用いることができる。これは本発明の本実施形態では限定されない。ネットワークデバイスが端末デバイスに対してダウンリンク伝送モードを決定するとき、端末デバイスが短ＴＴＩをサポートするか否かを考慮することができる。端末デバイスが短ＴＴＩをサポートすることができるとき、伝送モードにおいて異なる長さを有するＴＴＩの数が決定される。
【０１１６】
ＬＴＥシステム及びＬＴＥ−Ａシステムでは、１つのサブフレームの時間長は１ｍｓである。サブフレームは、２つのカテゴリ、すなわち通常のサイクリックプレフィックス（英語：Normal  Cyclic  Prefix、略してＮＣＰ）サブフレームと拡張サイクリックプレフィックス（英語：Extended  Cyclic  Prefix、略してＥＣＰ）サブフレームとに分類されてよい。ＮＣＰサブフレームは１４個のシンボルを含む。ＮＣＰサブフレームでは、シンボルには０〜１３の番号が付けられ、０番目のシンボルから６番目のシンボルは奇数のタイムスロットであり、７番目のシンボルから１３番目のシンボルは偶数のタイムスロットである。ＥＣＰサブフレームは１２個のシンボルを含む。ＥＣＰサブフレームでは、シンボルには０から１１の番号が付けられ、０番目のシンボルから５番目のシンボルは奇数のタイムスロットであり、６番目のシンボルから１１番目のシンボルは偶数のタイムスロットである。つまり、ＮＣＰサブフレームでは、第１のＴＴＩの長さと第２のＴＴＩの長さは１〜１４個のシンボルであってよく、ＥＣＰサブフレームでは、第１のＴＴＩの長さと第２のＴＴＩの長さは１〜１２個のシンボルであってよい。本発明の本実施形態では、ネットワークデバイスは、伝送モードについての各情報において、少なくとも２つの伝送モードに対応するＴＴＩの長さを構成し、ＴＴＩの長さを、伝送モードについての各情報と共に端末デバイスに送信するか、ＴＴＩの長さを個別に端末デバイスに送信することができる。
【０１１７】
少なくとも２つのダウンリンク伝送モードのうち任意の１つは、少なくとも１つの測定参照信号のアンテナポートに対応する。異なる測定参照信号は、独自のアンテナ番号を有する。例えば、ＣＲＳのアンテナポートのポート番号は０〜３であり、復調参照信号（英語：Demodulation  Reference  Signal、略してＤＭＲＳ）のアンテナポートのポート番号は７〜１４であり、ＣＳＩ−ＲＳのアンテナポートのポート番号は１５〜２２である。構成は、最小のポート番号から開始して行われてよい。例えば、２つのアンテナポートが構成されるＣＲＳのポート番号は０と１であってよい。１つのダウンリンク伝送モードは、１つのアンテナポート構成方式に対応してよい。ネットワークデバイスは、ダウンリンク伝送モードにおいて、測定参照信号のアンテナポートの構成情報を構成し、測定参照信号のアンテナポートの構成情報を、ダウンリンク伝送モードについての情報と共に端末デバイスに送信するか、又は、ダウンリンク伝送モードについての情報を送信する前に、測定参照信号のアンテナポートの構成情報を端末デバイスに送信してよい。
【０１１８】
留意すべきこととして、アンテナポート番号についての上記の説明は単なる例示である。後に新たにアンテナポート番号が導入された場合、例えば、新たにアンテナポート２３，２４が導入された場合、新たに導入されたアンテナポートが構成されているか否かは、新たに導入されたアンテナポートの機能に基づいて決定されてもよい。
【０１１９】
任意に、第１のダウンリンク伝送モード及び第２のダウンリンク伝送モードに対応する測定参照信号のアンテナポートは、以下の方式で構成されてよい。
【０１２０】
１．第１のダウンリンク伝送モードに対応する測定参照信号のアンテナポートのポート番号は、第２のダウンリンク伝送モードに対応する測定参照信号のアンテナポートのポート番号とは異なり、且つ、第１のダウンリンク伝送モードと第２のダウンリンク伝送モードは異なる数のアンテナポートに対応する。
【０１２１】
例えば、第１のダウンリンク伝送モードに対応する測定参照信号のアンテナポートは２つあり、２つのアンテナポートのポート番号は０と１である。第２のダウンリンク伝送モードに対応する測定参照信号のアンテナポートは１つあり、アンテナポートのポート番号は３である。
【０１２２】
２．第１のダウンリンク伝送モードに対応する測定参照信号のアンテナポートのポート番号は、第２のダウンリンク伝送モードに対応する測定参照信号のアンテナポートのポート番号とは異なるが、第１のダウンリンク伝送モードと第２のダウンリンク伝送モードは同じ数のアンテナポートに対応する。
【０１２３】
例えば、第１のダウンリンク伝送モードに対応する測定参照信号のアンテナポートは２つあり、２つのアンテナポートのポート番号は０と１である。第１のダウンリンク伝送モードに対応する測定参照信号のアンテナポートは２つあり、２つのアンテナポートのポート番号は３と４である。
【０１２４】
３．第１のダウンリンク伝送モードに対応する測定参照信号のアンテナポートのポート番号は、第２のダウンリンク伝送モードに対応する測定参照信号のアンテナポートのポート番号と同じであり、第１のダウンリンク伝送モードに対応する測定参照信号のアンテナポートの数は、第２のダウンリンク伝送モードに対応する測定参照信号のアンテナポートの数とは異なる。
【０１２５】
例えば、第１のダウンリンク伝送モードに対応する測定参照信号のアンテナポートは２つあり、２つのアンテナポートのポート番号は０と１である。第１のダウンリンク伝送モードに対応する測定参照信号のアンテナポートは１つあり、アンテナポートのポート番号は０である。ポート番号０のアンテナポートは、第１のダウンリンク伝送モードと第２のダウンリンク伝送モードとによって共有されるアンテナポートである。
【０１２６】
４．第１のダウンリンク伝送モードに対応する測定参照信号のアンテナポートのポート番号は、第２のダウンリンク伝送モードに対応する測定参照信号のアンテナポートのポート番号と同じであり、第１のダウンリンク伝送モードと第２のダウンリンク伝送モードは同じ数のアンテナポートに対応する。
【０１２７】
例えば、第１のダウンリンク伝送モードに対応する測定参照信号のアンテナポートは２つあり、２つのアンテナポートのポート番号は０と１である。第１のダウンリンク伝送モードに対応する測定参照信号のアンテナポートは２つあり、２つのアンテナポートのポート番号は０と１である。ポート番号０と１のアンテナポートは、第１のダウンリンク伝送モードと第２のダウンリンク伝送モードとによって共有されるアンテナポートである。
【０１２８】
留意すべきこととして、本発明の本実施形態において提供されるダウンリンク伝送モードについての情報を伝送するための方法は、異なる長さを有するＴＴＩのためのアンテナポートをそれぞれ構成するのに用いることができる。つまり、ネットワークデバイスは、ケースに基づき、異なるダウンリンク伝送に対応する測定参照信号のアンテナポートの設定方式を、通信リソースを削減するように調整することができる。一方、関連技術では、異なる長さのＴＴＩについて通常１つのダウンリンク伝送モードが構成されるので、長さの異なるＴＴＩのダウンリンクデータ伝送に対応する測定参照信号のアンテナポートの構成状況は同じであり、アンテナポートの構成状況をケースに基づいて調整することはできない。結果として、通信リソースが無駄になる可能性がある。
【０１２９】
本発明の本実施形態におけるダウンリンク伝送モードは、同じキャリア上に構成される伝送モードであってもよいし、複数のキャリア上に構成される伝送モードであってもよい。例えば、第１のダウンリンク伝送モード及び第２のダウンリンク伝送モードは、第１のキャリア上に構成される伝送モードであってよく、或いは、第１のダウンリンク伝送モードは第１のキャリア上で構成される伝送モードである一方、第２のダウンリンク伝送モードは第２のキャリア上で構成される伝送モードである。
【０１３０】
本発明の本実施形態において提供される方法は、モバイル通信規格に適用することができる。モバイル通信規格は、第３世代モバイル通信規格、第４世代モバイル通信規格及び将来の第５世代モバイル通信規格のうちいずれか１つであってよい。
【０１３１】
ステップ４０２：ネットワークデバイスが、少なくとも２つのダウンリンク伝送モードについての情報を端末デバイスに送信する。
【０１３２】
少なくとも２つのダウンリンク伝送モードについての情報を決定した後、ネットワークデバイスは、少なくとも２つのダウンリンク伝送モードについての情報を端末デバイスに送信してよい。
【０１３３】
任意に、ネットワークデバイスは、物理レイヤシグナリング、ＭＡＣレイヤシグナリング又はＲＲＣシグナリングを用いて、少なくとも２つのダウンリンク伝送モードについての情報を端末デバイスに送信してよい。
【０１３４】
３つのタイプのシグナリングは、ダウンリンク伝送モードについての情報を明示的に示し、或いはダウンリンク伝送モードについての情報を暗示的に示すことができる。「明示的に示す」とは、ネットワークデバイスが少なくとも２つのダウンリンク伝送モードについての情報を端末デバイスに直接送信することを意味することができる。一方、「暗示的に示す」とは、端末デバイスがＴＴＩの長さとダウンリンク伝送モードとの予め設定された対応関係を学習し、ネットワークデバイスがＴＴＩの長さを端末デバイスに通知し、端末デバイスが、予め設定された対応関係に基づいて、少なくとも２つのダウンリンク伝送モードについての情報を決定することができることを意味することができる。
【０１３５】
ステップ４０３：端末デバイスが、少なくとも２つのダウンリンク伝送モードについての情報を受信し、少なくとも２つのダウンリンク伝送モードについての情報に基づいて、少なくとも２つのダウンリンク伝送モードを決定する。
【０１３６】
ネットワークデバイスによって送信された少なくとも２つのダウンリンク伝送モードについての情報を受信した後、端末デバイスは、少なくとも２つのダウンリンク伝送モードについての情報を解析及び取得し、少なくとも２つのダウンリンク伝送モードを決定してよい。
【０１３７】
ステップ４０４：端末デバイスが、少なくとも２つのダウンリンク伝送モードに対応する測定参照信号に基づいて、測定によりＣＳＩを取得し、ＣＳＩをネットワークデバイスに送信する。
【０１３８】
少なくとも２つのダウンリンク伝送モードを決定した後、端末デバイスは、少なくとも２つのダウンリンク伝送モードに対応する測定参照信号に基づいて、測定によりＣＳＩを取得してよい。ＣＳＩは、ＣＱＩ、ＰＭＩ及びＲＩのうち少なくとも１つを含んでよい。測定参照信号に基づいて測定によりＣＳＩを取得するプロセスは、以下のとおりであってよい。１．端末デバイスが、測定参照信号を推定することにより、ＣＳＩの測定に用いられるチャネル情報を取得する。２．端末デバイスが、推定によって得られたチャネル情報に基づいて、最適ＲＩ及び／又はＰＭＩと、ＲＩ及び／又はＰＭＩに対応する信号対干渉雑音比（英語：Signal  to  Interference  plus  Noise  Ratio、略してＳＩＮＲ）とを取得する。３．端末デバイスが、算出されたＳＩＮＲを４ビット（ｂｉｔ）ＣＱＩに量子化する。測定参照信号は、ネットワークデバイスによって送信されてよい。
【０１３９】
端末デバイスは、ＣＱＩ、ＰＭＩ及びＲＩのうち少なくとも１つをネットワークデバイスに報告してよい。
【０１４０】
ダウンリンク伝送モードに対応する測定参照信号は、ＣＳＩ−ＲＳ、ＣＲＳ及びＣＳＩプロセスの任意の１つを含んでよい。少なくとも２つのダウンリンク伝送モードのうちの第１のダウンリンク伝送モード及び第２のダウンリンク伝送モードに対応する測定参照信号は、表１に示される以下の９つの方式で構成されてよい。
【表１】
2019515531.tif 000003
【０１４１】
表１では、１行目と左側の１列目は表のヘッダーであり、表１の情報を説明している。例えば、第１のダウンリンク伝送モードに対応する測定参照信号がＣＲＳであるとき、第２のダウンリンク伝送モードに対応する測定参照信号はＣＲＳ、ＣＳＩ−ＲＳ又はＣＳＩプロセスであってよい。
【０１４２】
ＣＳＩを測定及び送信するステップは、以下の２つのケースを含んでよい。
【０１４３】
ケース１を図４−２に示す。
【０１４４】
ステップ４０４１：端末デバイスが、第１のダウンリンク伝送モードに対応する測定参照信号に基づいて、測定により第１のＣＳＩを取得し、第２のダウンリンク伝送モードに対応する測定参照信号に基づいて、測定により第２のＣＳＩを取得する。
【０１４５】
つまり、端末デバイスは、第１のダウンリンク伝送モードに対応する測定参照信号と、第２のダウンリンク伝送モードに対応する測定参照信号とに基づいて、測定により２つのＣＳＩをそれぞれ取得してよい。２つのダウンリンク伝送モードのそれぞれについて１つのＣＳＩを測定することにより、異なるＴＴＩに対応するダウンリンクデータ伝送について１つのＣＳＩのみが測定される関連技術と比較して、ＣＳＩの正確性を向上させることができる。
【０１４６】
ステップ４０４２：端末デバイスが、第１のＣＳＩ及び第２のＣＳＩをネットワークデバイスに送信する。
【０１４７】
測定により２つのＣＳＩを取得した後、端末デバイスは、第１のＣＳＩと第２のＣＳＩの両方をネットワークデバイスに送信することができる。更に、端末デバイスは、代替として、第１のＣＳＩ及び第２のＣＳＩのうちの１つをネットワークデバイスに送信することができる。端末デバイスは、物理アップリンク制御チャネル（英語：physical  uplink  control  channel、略してＰＵＣＣＨ）又はＰＵＳＣＨを用いて、第１のＣＳＩ及び第２のＣＳＩをネットワークデバイスに送信することができる。端末デバイスは、ＣＳＩを取得した直後に、ＣＳＩをネットワークデバイスに送信することができる。
【０１４８】
任意に、第１のＣＳＩ又は第２のＣＳＩは、ネットワークデバイスが非周期的な報告をトリガするＣＳＩであってよい。端末デバイスは、ネットワークデバイスのシグナリングをトリガすることに基づいて、第１のＣＳＩ又は第２のＣＳＩに対応する報告時間を決定する。
【０１４９】
任意に、第１のＣＳＩ又は第２のＣＳＩは定期的に報告されるＣＳＩである。
【０１５０】
任意に、第１のダウンリンク伝送モードに対応する測定参照信号の周期は、第２のダウンリンク伝送モードに対応する測定参照信号の周期と異なってよい。したがって、それに応じて、第１のＣＳＩ及び第２のＣＳＩの報告周期も異なってよい。ネットワークデバイスは、第１のＣＳＩと第２のＣＳＩに対して異なる報告周期を構成してよい。これに対応して、ネットワークデバイスは、ＣＳＩ報告に用いられるサブフレーム又はシンボルに基づいて、第１のＣＳＩ及び第２のＣＳＩと２つのダウンリンク伝送モードとの対応関係を決定してよい。
【０１５１】
任意に、第１のダウンリンク伝送モードは更に、第５のＴＴＩの時間単位のダウンリンクデータ伝送に用いられ、第２のダウンリンク伝送モードは更に、第６のＴＴＩの時間単位のダウンリンクデータ伝送に用いられる。第５のＴＴＩの長さは第６のＴＴＩの長さとは異なる。第５のＴＴＩの長さは第１のＴＴＩの長さと異なっていても同じであってもよく、第６のＴＴＩの長さは第２のＴＴＩの長さと異なっていても同じであってもよい。ダウンリンクデータ伝送の準備時間はＴＴＩの長さに関係し、ＴＴＩが短いほど準備時間が短いことを示す。したがって、第１のＣＳＩと第２のＣＳＩの測定結果が同時に得られたとしても、長さの短い方のＴＴＩに対応するＣＳＩは、長さが長い方のＴＴＩに対応するＣＳＩよりも早く報告されることがある。第１のダウンリンク伝送モードと第２のダウンリンク伝送モードで構成された測定参照信号の周期が同じであっても、ネットワークデバイスは、第１のＣＳＩと第２のＣＳＩに対して異なる報告周期を構成することもできる。好ましくは、第１のＣＳＩ報告に対応するＴＴＩの長さは、第２のＣＳＩ報告に対応するＴＴＩの長さよりも小さい。第１のＣＳＩはＣＲＳに基づいて測定により得ることができ、ネットワークデバイスは、第１のＣＳＩに対して比較的短い絶対報告時間間隔を構成する。したがって、チャネル状態情報の変化を迅速に追跡するために第１のＣＳＩを用いることができ、これにより、サービス伝送パフォーマンスを改善することができる。
【０１５２】
図４−３にはケース２が示される。
【０１５３】
ステップ４０４３：端末デバイスが、第１のダウンリンク伝送モードに対応する測定参照信号に基づいて、測定により第１のＣＳＩを取得する。
【０１５４】
端末デバイスは、少なくとも２つのダウンリンク伝送モードのうち任意の１つに対応する測定参照信号に基づいて、測定によりＣＳＩを取得してよい。任意に、第１のダウンリンク伝送モード及び第２のダウンリンク伝送モードに対応する測定参照信号が同じタイプである（例えば、両方の測定参照信号がＣＳＩ−ＲＳである）とき、端末デバイスは、第１のダウンリンク伝送モード又は第２のダウンリンク伝送モードに対応する測定参照信号のみに基づいて、測定によりＣＳＩを取得してよい。任意に、第１のダウンリンク伝送モードの第１のＴＴＩの時間単位が第２のダウンリンク伝送モードの第２のＴＴＩの時間単位よりも短いとき、第１のＣＳＩの正確性は比較的高く、端末デバイスは、第１のダウンリンク伝送モードに対応する測定参照信号に基づいて、測定により第１のＣＳＩを取得することができる。
【０１５５】
ステップ４０４４：端末デバイスが、第１のＣＳＩをネットワークデバイスに送信する。
【０１５６】
端末デバイスは、測定により第１のＣＳＩを取得した後、第１のＣＳＩをネットワークデバイスに送信してよい。端末デバイスは、ＰＵＣＣＨ又はＰＵＳＣＨを用いて、第１のＣＳＩをネットワークデバイスに送信してよい。端末デバイスは、１つのＣＳＩを取得し、そのＣＳＩをネットワークデバイスに送信する。よって、ＣＳＩの測定及び送信の速度を向上させることができ、ＣＳＩによって示されるネットワークリソースが削減され、ネットワークシステムのパフォーマンスが向上する。
【０１５７】
留意すべきこととして、ネットワークデバイスが３つ以上のダウンリンク伝送モードを決定したとき、端末デバイスは、測定により３つ以上のＣＳＩを取得し、その３つ以上のＣＳＩをネットワークデバイスに送信してよい。つまり、端末デバイスは、少なくとも２つのダウンリンク伝送モードに対応する測定参照信号に基づいて、測定により少なくとも１つのＣＳＩを取得し、少なくとも１つのＣＳＩをネットワークデバイスに送信してよい。詳細については、ステップ４０４１〜ステップ４０４３を参照されたい。ここでは詳細の説明を省略する。
【０１５８】
関連技術では、シングルキャリアシナリオでは、１ｍｓの時間単位を有するＴＴＩに対応するダウンリンクデータ伝送と比較して、１ｍｓ未満の時間単位を有するＴＴＩ（すなわち短ＴＴＩ）に対応するダウンリンクデータ伝送では、チャネル状態情報の変更をより迅速に追跡し報告することができ、よって、ダウンリンクデータ伝送のパフォーマンスを向上させることができる。短ＴＴＩの測定及び報告をサポートするために、比較的頻繁に出現する測定参照信号はそれに対応して構成される必要がある。測定参照信号がＣＳＩ−ＲＳであるとき、ＣＳＩ−ＲＳが出現する時間間隔は短縮される必要がある。例えば、１ｍｓの長さを有するＴＴＩに対応するダウンリンクデータ伝送と２つのシンボルの長さを有するＴＴＩに対応するダウンリンクデータ伝送では、測定参照信号はＣＳＩ−ＲＳである。ＣＳＩ−ＲＳの周期が５ＴＴＩであり且つＴＴＩの長さが１ｍｓであるダウンリンクデータ伝送では、ネットワークデバイスは、５ｍｓの時間間隔でＣＳＩ−ＲＳを端末デバイスに送信する。一方、２つのシンボルの長さを有するＴＴＩに対応するダウンリンクデータ伝送では、ネットワークデバイスは、１０個のシンボルの時間間隔で、ＣＳＩ−ＲＳを端末デバイスに送信する必要があることがある。１ｍｓのＴＴＩに対応するダウンリンク伝送では、伝送モードは、最大８つの伝送レイヤのデータ伝送をサポートするＴＭ９又はＴＭ１０であってよい。対応して、ＣＳＩ−ＲＳの８つのアンテナポートが構成される必要がある。短ＴＴＩダウンリンク伝送では、サポートされる伝送レイヤの最大数は８未満であってよく、言い換えれば、ＣＳＩ−ＲＳの８つのアンテナポートを構成する必要はない。１ｍｓのＴＴＩと短ＴＴＩに対して同じＣＳＩ−ＲＳが構成される場合、ＣＳＩ−ＲＳは、１ｍｓのＴＴＩと短ＴＴＩの両方の要件を満たす必要がある。つまり、ＣＳＩ−ＲＳは比較的短い時間間隔で出現し、ＣＳＩ−ＲＳのアンテナポートが比較的多く必要とされる。その結果、不必要なＣＳＩ−ＲＳオーバヘッドが引き起こされる。
【０１５９】
一方、本発明の本実施形態において提供されるダウンリンク伝送モードについての情報を伝送するための方法では、異なる長さを有するＴＴＩについて異なるダウンリンク伝送モードが設定される。測定参照信号の対応する周期又は測定参照信号の対応する数量は、ＴＴＩの長さに基づいて各ダウンリンク伝送モードに対して構成することができる。例えば、１ｍｓの長さを有するＴＴＩに対応するダウンリンクデータ伝送では、ＣＳＩ−ＲＳの周期は５ｍｓに設定されてよく、アンテナポートの数は８に設定されてよい。一方、２つのシンボルの長さを有するＴＴＩに対応するダウンリンクデータ伝送では、ＣＳＩ−ＲＳの周期は１ｍｓに設定されてよく、アンテナポートの数は２に設定されてよい。よって、ＣＳＩ−ＲＳは、異なる長さのＴＴＩに対応するダウンリンクデータ伝送においてＣＳＩに対する要件を満たすことができる。これにより、関連技術における問題が解決される。
【０１６０】
留意すべきこととして、第２のダウンリンク伝送モードが第２のＴＴＩ及び第４のＴＴＩの時間単位のダウンリンクデータ伝送に用いられるとき、第４のＴＴＩの長さと第２のＴＴＩの長さとの差は、予め設定された差よりも小さくてよい。つまり、ネットワークデバイスは、わずかに異なる長さの複数のＴＴＩに対応するように、１つの伝送モードを設定することができる。ＴＴＩの長さがわずかに異なるので、測定参照信号のオーバヘッドが非常に高くなることなく、測定参照信号の比較的適切な周期を設定することができる。例えば、予め設定された差は１つのシンボルであってよく、第２のダウンリンク伝送モードは、１つのシンボル及び２つのシンボルの長さを有するＴＴＩに対応するダウンリンクデータ伝送に用いられてよい。同様に、１つの伝送モードが３つ以上のＴＴＩに対応してよい。ＴＴＩ間の差は、予め設定された差よりも小さい。
【０１６１】
本発明の本実施形態において提供されるダウンリンク伝送モードについての情報を伝送するための方法は、更に、以下のステップを含む。
【０１６２】
ステップ４０５：ネットワークデバイスが、端末デバイスによって送信されたＣＳＩを受信する。
【０１６３】
任意に、ネットワークデバイスは、端末デバイスによって送信されたＣＳＩに基づいて、端末デバイスについてＭＣＳ指示情報を決定する。
【０１６４】
ネットワークデバイスは、端末デバイスによって送信されたＣＳＩを取得した後、ＣＳＩに基づいて、端末デバイスに対してＭＣＳ指示情報を決定してよい。ＭＣＳ指示情報は、ダウンリンク物理チャネル（ＰＤＳＣＨなど）に用いられる変調・符号化スキームを示すために用いられる。端末デバイスによって送信された異なるＣＳＩに基づき、ネットワークデバイスは、以下の２つのケースで、ＭＣＳ指示情報を決定することができる。
【０１６５】
１．ネットワークデバイスが第１のＣＳＩ及び第２のＣＳＩを取得する。
【０１６６】
このケースでは、ネットワークデバイスは、第１のＣＳＩに基づいて、端末デバイスに対して第１のＭＣＳ指示情報を決定し、第２のＣＳＩに基づいて、端末デバイスに対して第２のＭＣＳ指示情報を決定してよい。第１のＭＣＳ指示情報は、第１のダウンリンク伝送モードのダウンリンクデータ伝送を示すのに用いられ、第２のＭＣＳ指示情報は、第２のダウンリンク伝送モードのダウンリンクデータ伝送を示すのに用いられる。或いは、ネットワークデバイスは、第１のＣＳＩ又は第２のＣＳＩに基づいて、端末デバイスに対して１つのＭＣＳ指示情報を決定してよい。ＭＣＳ指示情報は、第１のダウンリンク伝送モード及び第２のダウンリンク伝送モードのダウンリンクデータ伝送を示すために用いられる。
【０１６７】
２．ネットワークデバイスが第１のＣＳＩを取得する。
【０１６８】
このケースでは、ネットワークデバイスは、第１のＣＳＩに基づいて、端末デバイスについて第１のＭＣＳ指示情報を決定してよい。第１のＭＣＳ指示情報は、第１のダウンリンク伝送モード及び第２のダウンリンク伝送モードのダウンリンクデータ伝送を示すのに用いられる。更に、ネットワークデバイスは、代替として、端末デバイスに対して、第１のＣＳＩに基づき、同じ変調・符号化スキームを示す第１のＭＣＳ指示情報及び第２のＭＣＳ指示情報を決定してよい。第１のＭＣＳ指示情報は、第１のダウンリンク伝送モードのダウンリンクデータ伝送を示すために用いられ、第２のＭＣＳ指示情報は、第２のダウンリンク伝送モードのダウンリンクデータ伝送を示すために用いられる。
【０１６９】
留意すべきこととして、端末デバイスが３つ以上のＣＳＩをネットワークデバイスに送信するとき、ネットワークデバイスは、３つ以上のＣＳＩの各々に基づいて、１つのＭＣＳを決定することができ、又は、３つ以上のＣＳＩに基づいて、少なくとも１つのＭＣＳを決定することができる。詳細については、このステップの上記２つのケースを参照されたい。ここでは詳細の説明を省略する。
【０１７０】
ステップ４０６：ネットワークデバイスが、端末デバイスについて決定されたＭＣＳ指示情報を端末デバイスに送信する。
【０１７１】
端末デバイスについてＭＣＳ指示情報を決定した後、ネットワークデバイスは、ＭＣＳ指示情報を端末デバイスに送信してよい。
【０１７２】
ネットワークデバイスは、物理ダウンリンク制御チャネル（英語：Physical  Downlink  Control  Channel、略してＰＤＣＣＨ）、進化型物理ダウンリンク制御チャネル（英語：Enhanced  Physical  Downlink  Control  Channel、略してＥＰＤＣＣＨ）、物理制御フォーマットインジケータチャネル（英語：Physical  Control  Format  Indicator  Channel、略してＰＣＦＩＣＨ）若しくは物理ハイブリッドＡＲＱインジケータチャネル（英語：Physical  hybrid  ARQ  indicator  channel、略してＰＨＩＣＨ）等のチャネル、又は、無線通信規格に導入される、同じ機能で異なる名称のチャネルを用いて、端末デバイスに対して決定されたＭＣＳ指示情報を端末デバイスに送信してよい。
【０１７３】
ステップ４０７：端末デバイスが、ＭＣＳ指示情報を受信し、ネットワークデバイスとダウンリンクデータ伝送をおこなう。
【０１７４】
端末デバイスは、ネットワークデバイスによって送信されたＭＣＳ指示情報を取得した後、ＭＣＳ指示情報及びダウンリンク伝送モードに基づいて、ダウンリンクデータを受信してよい。ネットワークデバイスは、物理ダウンリンク共有チャネル（Physical  Downlink  Shared  Channel、略してＰＤＳＣＨ）、又は無線通信規格における機能が同じであるが名称が異なるチャネルを用いて、端末デバイスのダウンリンクデータを端末デバイスに送信してよい。ネットワークデバイスが第１のＭＣＳ指示情報及び第２のＭＣＳ指示情報を端末デバイスに送信する場合（第１のＭＣＳ指示情報は第１のダウンリンク伝送モードに対応するダウンリンクデータ伝送を示すのに用いられ、第２のＭＣＳ指示情報は第２のダウンリンク伝送モードに対応するダウンリンクデータ伝送を示すのに用いられる）、端末デバイスは、第１のＭＣＳ指示情報に基づいて、第１のダウンリンク伝送モードに対応するダウンリンクデータ伝送を実行し、第２のＭＣＳ指示情報に基づいて、第２のダウンリンク伝送モードに対応するダウンリンクデータ伝送を実行することができる。ネットワークデバイスが１つのＭＣＳ指示情報を端末デバイスに送信する場合、端末デバイスは、そのＭＣＳ指示情報に基づいて、第１のダウンリンク伝送モード及び第２のダウンリンク伝送モードに対応するダウンリンクデータ伝送を実行することができる。
【０１７５】
留意すべきこととして、本発明の実施形態におけるダウンリンク伝送モード、アップリンク伝送モード、ＴＴＩ、ＭＣＳ指示情報、ＣＳＩ等の概念に付された第１、第２及び第３は、全て、これらの概念を区別するためのものであり、これらの概念の具体的な名前を示すものではない。
【０１７６】
要するに、本発明の本実施形態において提供されるダウンリンク伝送モードについての情報を伝送するための方法では、端末デバイスに対して少なくとも２つのダウンリンク伝送モードが構成される。少なくとも２つのダウンリンク伝送モードのうちの第１のダウンリンク伝送モードと第２のダウンリンク伝送モードは、異なる長さを有するＴＴＩに対応する。これにより、関連技術における、ＴＴＩの長さが異なる場合にｅＮＢがＰＤＳＣＨ伝送スケジューリングを実行するときの柔軟性の低さという問題が解決され、ダウンリンクデータ伝送のスケジューリングの柔軟性が改善される。
【０１７７】
図５は、本発明の実施形態に係る、アップリンク伝送モードについての情報を伝送するための方法のフローチャートである。本方法は、図１−１に示される実施環境のネットワークデバイスに適用されてよい。アップリンク伝送モードについての情報を伝送するための方法は、以下のステップを含んでよい。
【０１７８】
ステップ５０１：少なくとも２つのアップリンク伝送モードについての情報を決定する。少なくとも２つのアップリンク伝送モードのうち、第１のアップリンク伝送モードは第１のＴＴＩの時間単位のアップリンクデータ伝送に用いられ、第２のアップリンク伝送モードは第２のＴＴＩの時間単位のアップリンクデータ伝送に用いられる。第１のＴＴＩの長さは第２のＴＴＩの長さとは異なる。
【０１７９】
留意すべきこととして、少なくとも２つのアップリンク伝送モードのタイプは、従来技術におけるアップリンク伝送モードであってよい。後に新たなアップリンク伝送モードが導入された場合、新たなアップリンク伝送モードは更に、同じ方法を用いて構成されてよい。
【０１８０】
ステップ５０２：少なくとも２つのアップリンク伝送モードについての情報を端末デバイスに送信する。
【０１８１】
本発明の本実施形態の具体的内容及び実施方式については、図７に示される実施形態を参照されたい。ここでは詳細の説明を省略する。
【０１８２】
要するに、本発明の本実施形態において提供されるアップリンク伝送モードについての情報を伝送するための方法では、端末デバイスに対して少なくとも２つのアップリンク伝送モードが構成される。少なくとも２つのアップリンク伝送モードのうちの第１のアップリンク伝送モードと第２のアップリンク伝送モードは、異なる長さを有するＴＴＩに対応する。これにより、関連技術における、ＴＴＩの長さが異なる場合にｅＮＢがＰＵＳＣＨ伝送スケジューリングを実行するときの柔軟性の低さという問題が解決され、アップリンクデータ伝送のスケジューリングの柔軟性が改善される。
【０１８３】
図６は、本発明の実施形態に係る、アップリンク伝送モードについての情報を伝送するための方法のフローチャートである。本方法は、図１−１に示される実施環境の端末デバイスに適用されてよい。アップリンク伝送モードについての情報を伝送するための方法は、以下のステップを含んでよい。
【０１８４】
ステップ６０１：ネットワークデバイスによって送信された少なくとも２つのアップリンク伝送モードについての情報を受信する。少なくとも２つのアップリンク伝送モードのうち、第１のアップリンク伝送モードは第１のＴＴＩの時間単位のアップリンクデータ伝送に用いられ、第２のアップリンク伝送モードは第２のＴＴＩの時間単位のアップリンクデータ伝送に用いられる。第１のＴＴＩの長さは第２のＴＴＩの長さとは異なる。
【０１８５】
ステップ６０２：少なくとも２つのアップリンク伝送モードについての情報に基づいて、少なくとも２つのアップリンク伝送モードを決定する。
【０１８６】
本発明の本実施形態の具体的内容及び実施方式については、図７に示される実施形態を参照されたい。ここでは詳細の説明を省略する。
【０１８７】
要するに、本発明の本実施形態において提供されるアップリンク伝送モードについての情報を伝送するための方法では、アップリンク伝送モードは、ネットワークデバイスによって送信された、少なくとも２つのアップリンク伝送モードについての情報に基づいて、決定される。少なくとも２つのアップリンク伝送モードのうちの第１のアップリンク伝送モードと第２のアップリンク伝送モードは、異なる長さを有するＴＴＩに対応する。これにより、関連技術における、ＴＴＩの長さが異なる場合にｅＮＢがＰＵＳＣＨ伝送スケジューリングを実行するときの柔軟性の低さという問題が解決され、アップリンクデータ伝送のスケジューリングの柔軟性が改善される。
【０１８８】
図７は、本発明の実施形態に係る、アップリンク伝送モードについての情報を伝送するための方法のフローチャートである。本方法は、図１−１に示される実施環境に適用されてよい。アップリンク伝送モードについての情報を伝送するための方法は、以下のステップを含んでよい。
【０１８９】
ステップ７０１：ネットワークデバイスが、少なくとも２つのアップリンク伝送モードについての情報を決定する。
【０１９０】
本発明の本実施形態において提供されるアップリンク伝送モードについての情報を伝送するための方法が採用されると、ネットワークデバイスは始めに、少なくとも２つのアップリンク伝送モードについての情報を決定してよい。少なくとも２つのアップリンク伝送モードのうち、第１のアップリンク伝送モードは第１のＴＴＩの時間単位のアップリンクデータ伝送に用いられ、第２のアップリンク伝送モードは第２のＴＴＩの時間単位のアップリンクデータ伝送に用いられる。第１のＴＴＩの長さは第２のＴＴＩの長さとは異なる。アップリンクデータ伝送では、サブフレームのシンボルは、シングルキャリア周波数分割多元接続（英語：Single  Carrier  Frequency  Division  Multiple  Access、略してＳＣ−ＦＤＭＡ）シンボルであってよい。直交周波数分割多元接続（Orthogonal  Frequency  Division  Multiple  Access，ＯＦＤＭＡ）のアップリンク多元接続方式が後続の技術に導入される場合、アップリンクシンボルはＯＦＤＭシンボルと呼ばれてもよい。本明細書では、ＳＣ−ＦＤＭＡシンボルとＯＦＤＭシンボルの両方をまとめてシンボルと表記される。
【０１９１】
更に、ダウンリンク伝送モードと同様に、少なくとも２つのアップリンク伝送モードは更に、第３のアップリンク伝送モードを含んでよい。第３のアップリンク伝送モードは、第３のＴＴＩの時間単位のアップリンクデータ伝送に用いられる。第３のＴＴＩの長さは第１のＴＴＩの長さとは異なり、第３のＴＴＩの長さは第２のＴＴＩの長さとは異なる。つまり、ネットワークデバイスは、端末デバイスに対して少なくとも３つのアップリンク伝送モードを決定することができ、３つのアップリンク伝送モードは異なるＴＴＩ長を有する。
【０１９２】
同様に、少なくとも２つのアップリンク伝送モードのうち第２のアップリンク伝送モードは更に、第４のＴＴＩの時間単位のアップリンクデータ伝送に用いられる。第４のＴＴＩの長さは第２のＴＴＩの長さとは異なる。つまり、ネットワークデバイスにより端末デバイスに対して決定されたアップリンク伝送モードのうち、１つのアップリンク伝送モードを、異なる長さを有する２つのＴＴＩに対応するアップリンクデータ伝送において用いることができる。異なる長さを有する２つのＴＴＩは、従来のＴＴＩの長さよりも小さい長さを有する２つのＴＴＩであってよい。或いは、一方のＴＴＩは、従来のＴＴＩの長さよりも小さい長さを有するＴＴＩであり、他方のＴＴＩは従来のＴＴＩであってよい。第４のＴＴＩの長さと第２のＴＴＩの長さとの差は、予め設定された差よりも小さくてよい。ネットワークデバイスは、わずかに異なる長さの複数のＴＴＩに対応するように、１つのアップリンク伝送モードを設定することができる。ＴＴＩの長さがわずかに異なるので、測定参照信号のオーバヘッドが非常に高くなることなく、測定参照信号の比較的適切な周期を設定することができる。
【０１９３】
留意すべきこととして、アップリンク伝送モードのタイプは、アップリンク伝送モードのＴＭ１及びＴＭ２を含んでよい。ＴＭ１とＴＭ２の両方に対応する測定参照信号は、サウンディング参照信号（英語：Sounding  Reference  Signal、略してＳＲＳ）であってよい。ダウンリンク伝送モードとは異なり、アップリンク伝送モードでは、端末デバイスがＣＳＩを測定する代わりに、ネットワークデバイスが測定参照信号に基づいて、アップリンクチャネルのＣＳＩを測定する（測定参照信号は端末デバイスによって送信されてよい）。ネットワークデバイスは、ＣＳＩに基づいて端末デバイスに対してＭＣＳ指示情報を決定し、それからＭＣＳ指示情報を端末デバイスに送信することができる。ＭＣＳ指示情報は、アップリンク物理チャネル（例えば、物理アップリンク共有チャネル（英語：Physical  Uplink  Shared  Channel、略してＰＵＳＣＨ））に用いられる変調・符号化スキームを示すのに用いられる。ＭＣＳ指示情報の送信時点が、端末デバイスとネットワークデバイスとの間で実行されるアップリンクデータ伝送よりも早いという条件で、ネットワークデバイスは、物理アップリンク制御チャネル（英語：Physical  Uplink  Control  Channel、略してＰＵＣＣＨ）等のチャネルを用いて、ＭＣＳ指示情報を端末デバイスに送信することができ、又は、物理レイヤシグナリング、ＭＡＣレイヤシグナリング又はＲＲＣシグナリングを用いて、ＭＣＳ指示情報を端末デバイスに送信することができる。本発明の本実施形態において他の限定は課されない。
【０１９４】
アップリンクデータ伝送について、１つのアップリンク伝送モードが４つの伝送レイヤのデータ伝送をサポートする場合、関連技術において構成される１つのアップリンク伝送モードでは、ネットワークデバイスは、測定参照信号を用いて、４つの伝送レイヤについて個別にＣＳＩを測定する必要がある。一方、本発明の本実施形態において提供される方法では、ネットワークデバイスは、異なる長さのＴＴＩに対応するアップリンクデータ伝送に対して、異なる伝送モードを構成する。異なる長さのＴＴＩに対応するアップリンクデータ伝送モードにより、複数の伝送レイヤを共有することができる。例えば、第１のアップリンク伝送モードは２つの伝送レイヤを占有し、第２のアップリンク伝送モードは２つの伝送レイヤを占有する。このケースでは、ネットワークデバイスは、測定参照信号を用いて、各伝送モードについて１回ＣＳＩを測定することができる。したがって、ネットワークデバイスはＣＳＩを合計２回だけ測定すればよく、測定参照信号のオーバヘッドが低減される。
【０１９５】
ステップ７０２：ネットワークデバイスが、少なくとも２つのアップリンク伝送モードについての情報を端末デバイスに送信する。
【０１９６】
少なくとも２つのアップリンク伝送モードについての情報を決定した後、ネットワークデバイスは、少なくとも２つのアップリンク伝送モードについての情報を端末デバイスに送信してよい。
【０１９７】
任意に、ネットワークデバイスは、物理レイヤシグナリング、ＭＡＣレイヤシグナリング又はＲＲＣシグナリングを用いて、少なくとも２つのアップリンク伝送モードについての情報を端末デバイスに送信してよい。
【０１９８】
ステップ７０３：端末デバイスが、少なくとも２つのアップリンク伝送モードについての情報を受信し、少なくとも２つのアップリンク伝送モードについての情報に基づいて、少なくとも２つのアップリンク伝送モードを決定する。
【０１９９】
ネットワークデバイスによって送信された少なくとも２つのアップリンク伝送モードについての情報を取得した後、端末デバイスは、少なくとも２つのアップリンク伝送モードについての情報に基づいて、少なくとも２つのアップリンク伝送モードを決定してよい。
【０２００】
ステップ７０４：端末デバイスが、ネットワークデバイスとアップリンクデータ伝送をおこなう。
【０２０１】
少なくとも２つのアップリンク伝送モードを決定した後、端末デバイスは、少なくとも２つのアップリンク伝送モードに基づいてアップリンクデータ伝送をおこなって、アップリンクデータをネットワークデバイスに送信してよい。任意に、端末デバイスは、第１のアップリンク伝送モードに基づいて第１のＴＴＩの時間単位のアップリンクデータ伝送をおこない、第２のアップリンク伝送モードに基づいて第２のＴＴＩの時間単位のアップリンクデータ伝送をおこなってよい。
【０２０２】
要するに、本発明の本実施形態において提供されるアップリンク伝送モードについての情報を伝送するための方法では、端末デバイスに対して少なくとも２つのアップリンク伝送モードが構成される。少なくとも２つのアップリンク伝送モードのうちの第１のアップリンク伝送モードと第２のアップリンク伝送モードは、異なる長さを有するＴＴＩに対応する。これにより、関連技術における、ＴＴＩの長さが異なる場合にｅＮＢがＰＵＳＣＨ伝送スケジューリングを実行するときの柔軟性の低さという問題が解決され、アップリンクデータ伝送のスケジューリングの柔軟性が改善される。
【０２０３】
図８は、本発明の実施形態に係るネットワークデバイスのブロック図である。該ネットワークデバイスは、図４−１に示される実施形態におけるネットワークデバイスによって実現される手順を実現するように構成することができる。ネットワークデバイス８００は、ダウンリンク情報決定ユニット８１０及びダウンリンク情報送信ユニット８２０を備える。
【０２０４】
ダウンリンク情報決定ユニット８１０は、少なくとも２つのダウンリンク伝送モードについての情報を決定するように構成される。少なくとも２つのダウンリンク伝送モードのうち、第１のダウンリンク伝送モードは第１の伝送時間間隔（ＴＴＩ）の時間単位のダウンリンクデータ伝送に用いられ、第２のダウンリンク伝送モードは第２のＴＴＩの時間単位のダウンリンクデータ伝送に用いられる。第１のＴＴＩの長さは第２のＴＴＩの長さとは異なる。該ユニットは、図４−１に示される実施形態のステップ４０１を実行するように構成することができる。該ユニットの機能は、プロセッサを用いて実現することができる。
【０２０５】
任意に、少なくとも２つのダウンリンク伝送モードは、従来のＴＴＩの時間単位に対応する少なくとも１つのダウンリンク伝送モードを含んでよい。よって、本発明の実施形態において提供されるダウンリンク伝送モードについての情報を伝送するための方法の下位互換性を向上させることができる。
【０２０６】
ＬＴＥシステム又はＬＴＥ−Ａシステムでは、ダウンリンク伝送モードのタイプは１０個のタイプ、すなわちＴＭ１〜ＴＭ１０を含んでよい。ＴＭ１〜ＴＭ８に対応する測定参照信号は通常ＣＲＳであり、ＴＭ９に対応する測定参照信号は通常ＣＳＩ−ＲＳであり、ＴＭ１０に対応する測定参照信号は通常ＣＳＩプロセスである。１つのＣＳＩプロセスは、非ゼロパワーＣＳＩ−ＲＳ及びＣＳＩ−ＩＭを含む。ＴＭ１〜ＴＭ１０において、ＴＭ１及びＴＭ２は比較的信頼性が高く、ＴＭ９及びＴＭ１０の伝送レイヤの数は比較的多い。
【０２０７】
ＬＴＥシステム又はＬＴＥ−Ａシステムは、伝送モードのタイプを設定するためのいくつかの任意の方式を説明するために用いられている。例えば、第２のＴＴＩの長さは１ｍｓであり、第１のＴＴＩの長さは第２のＴＴＩの長さよりも小さい。第１のダウンリンク伝送モードと第２のダウンリンク伝送モードのタイプは、以下の３つの方式で設定されてよい。
【０２０８】
方式１：第２のダウンリンク伝送モードのタイプはＴＭ１又はＴＭ２であり、第１のダウンリンク伝送モードのタイプはＴＭ９又はＴＭ１０である。
【０２０９】
ＬＴＥシステム又はＬＴＥ−Ａシステムでは、１ｍｓは従来のＴＴＩの長さであり、１ｍｓの時間単位に対応するダウンリンクデータ伝送モードは、通常、フォールバック伝送モードとして用いられる（フォールバックモードは、ネットワークパフォーマンスが悪い場合に用いられる伝送モードである）。したがって、１ｍｓの時間単位に対応する第２の伝送モードを、比較的信頼性の高いＴＭ１及びＴＭ２に設定することにより、第２のダウンリンク伝送モードの信頼性を向上させることができる。更に、ＴＭ９又はＴＭ１０には比較的多数の伝送レイヤが存在し、第１のダウンリンク伝送モードをＴＭ９又はＴＭ１０に設定することにより、ネットワークデバイスと端末デバイスとの間のデータ伝送のスループット（ネットワーク、デバイス、ポート、仮想回路その他の設備によって時間単位で正常に送信されたデータのデータ量）を向上させることができる。
【０２１０】
方式２：第２のダウンリンク伝送モードのタイプはＴＭ９又はＴＭ１０であり、第１のダウンリンク伝送モードのタイプはＴＭ１〜ＴＭ８のうち任意の１つである。
【０２１１】
ＴＭ１〜ＴＭ８に対応する測定参照信号はＣＲＳである。各サブフレームでＣＲＳが送信されるので、端末デバイスは迅速な測定と報告をおこなうことができる。これは、短遅延のサービス伝送に有利である。更に、第２のダウンリンク伝送モードのタイプをＴＭ９又はＴＭ１０に設定することにより、ネットワークデバイスと端末デバイスとの間のデータ伝送のスループットを向上させることができる。
【０２１２】
方式３：第２のダウンリンク伝送モードのタイプはＴＭ１又はＴＭ２であり、第１のダウンリンク伝送モードのタイプはＴＭ１〜ＴＭ８のうち任意の１つである。
【０２１３】
第２のダウンリンク伝送モードの信頼性は、第２のダウンリンク伝送モードのタイプをＴＭ１又はＴＭ２に設定することによって改善することができる。第１のダウンリンク伝送モードのタイプをＴＭ１乃至ＴＭ８のうち任意の１つに設定することは、短遅延のサービス伝送に有利である。
【０２１４】
任意に、少なくとも２つのダウンリンク伝送モードは更に、第３のダウンリンク伝送モードを含む。第３のダウンリンク伝送モードは第３のＴＴＩの時間単位のダウンリンクデータ伝送に用いられる。第３のＴＴＩの長さは第１のＴＴＩの長さとは異なり、第３のＴＴＩの長さは第２のＴＴＩの長さとは異なる。つまり、ネットワークデバイスは、端末デバイスに対して少なくとも３つのダウンリンク伝送モードを決定することができ、３つのダウンリンク伝送モードは異なるＴＴＩ長を有する。例えば、ＬＴＥシステム及びＬＴＥ−Ａシステムでは、第１のＴＴＩは３つのシンボルの長さを有し、第２のＴＴＩは１ｍｓの長さを有する従来のＴＴＩであり、第３のＴＴＩは２つのシンボルの長さを有する。更に、少なくとも２つのダウンリンク伝送モードは更に、より多くのダウンリンク伝送モードを含んでよい。より多くのダウンリンク伝送モードのケースについては、第１、第２又は第３のダウンリンク伝送モードを参照されたい。ここでは詳細の説明を省略する。
【０２１５】
任意に、少なくとも２つのダウンリンク伝送モードのうちの第２のダウンリンク伝送モードは更に、第４のＴＴＩの時間単位のダウンリンクデータ伝送に用いられ、第４のＴＴＩの長さは第２のＴＴＩの長さとは異なる。つまり、ネットワークデバイスにより端末デバイスに対して決定されたダウンリンク伝送モードでは、異なる長さを有する２つのＴＴＩに対応するダウンリンクデータ伝送において、１つのダウンリンク伝送モードを用いることができる。異なる長さを有する２つのＴＴＩは、従来のＴＴＩの長さよりも小さい長さを有する２つのＴＴＩであってよい。或いは、一方のＴＴＩが従来のＴＴＩの長さよりも小さい長さを有するＴＴＩであり、他方のＴＴＩは従来のＴＴＩであってよい。例えば、第４のＴＴＩの長さは１ｍｓであり、第２のＴＴＩの長さは０．５ｍｓである。更に、異なる長さを有する３つ以上のＴＴＩに対応するダウンリンク伝送において、ネットワークデバイスにより端末デバイスに対して決定されるダウンリンク伝送モードのいずれか１つを用いることができる。これは本発明の本実施形態において限定されない。ネットワークデバイスが端末デバイスに対してダウンリンク伝送モードを決定するとき、端末デバイスが短ＴＴＩをサポートするか否かが考慮されてよい。端末デバイスが短ＴＴＩをサポートできるときには、伝送モードにおける異なる長さを有するＴＴＩの数が決定される。
【０２１６】
本発明の本実施形態において提供されるネットワークデバイスは、異なる長さを有するＴＴＩに対して異なるダウンリンク伝送モードを設定する。各ダウンリンク伝送モードでは、ＴＴＩの長さに基づいて測定参照信号の周期を設定することができる。例えば、１ｍｓの長さを有するＴＴＩに対応するダウンリンクデータ伝送のＣＳＩ−ＲＳの周期が、５ＴＴＩに設定されてよく、１ｍｓの長さを有するＴＴＩに対応するダウンリンクデータ伝送の周期が、１０ＴＴＩに設定されてよい。このように、ＣＳＩ−ＲＳの周期は、異なる長さを有するＴＴＩに対応するダウンリンクデータ伝送におけるＣＳＩの要件を満たすことができ、これにより関連技術の問題を解決することができる。
【０２１７】
任意に、第２のダウンリンク伝送モードが第２のＴＴＩ及び第４のＴＴＩの時間単位のダウンリンクデータ伝送に用いられるとき、第４のＴＴＩの長さと第２のＴＴＩの長さとの差は、予め設定された差よりも小さくてよい。つまり、ネットワークデバイスは、わずかに異なる長さの複数のＴＴＩに対応するように、１つの伝送モードを設定することができる。ＴＴＩの長さがわずかに異なるので、測定参照信号のオーバヘッドが非常に高くなることなく、測定参照信号の比較的適切な周期を設定することができる。例えば、予め設定された差は０．２ｍｓであってよく、第２のダウンリンク伝送モードは、０．５ｍｓと０．６ｍｓの長さを有するＴＴＩに対応するダウンリンクデータ伝送に用いることができる。
【０２１８】
任意に、少なくとも２つのダウンリンク伝送モードの各々は測定参照信号に対応する。測定参照信号は、ＣＳＩ−ＲＳ、ＣＲＳ及びＣＳＩプロセスのうち任意の１つを含む。
【０２１９】
任意に、少なくとも２つのダウンリンク伝送モードのうち任意の１つは、少なくとも１つの測定参照信号のアンテナポートに対応する。
【０２２０】
第１のダウンリンク伝送モードに対応する測定参照信号のアンテナポートのポート番号は、第２のダウンリンク伝送モードに対応する測定参照信号のアンテナポートのポート番号とは異なり、且つ、第１のダウンリンク伝送モードと第２のダウンリンク伝送モードは異なる数のアンテナポートに対応する。又は、
第１のダウンリンク伝送モードに対応する測定参照信号のアンテナポートのポート番号は、第２のダウンリンク伝送モードに対応する測定参照信号のアンテナポートのポート番号とは異なるが、第１のダウンリンク伝送モードと第２のダウンリンク伝送モードは同じ数のアンテナポートに対応する。又は、
第１のダウンリンク伝送モードに対応する測定参照信号のアンテナポートのポート番号は、第２のダウンリンク伝送モードに対応する測定参照信号のアンテナポートのポート番号と同じであり、第１のダウンリンク伝送モードに対応する測定参照信号のアンテナポートの数は、第２のダウンリンク伝送モードに対応する測定参照信号のアンテナポートの数とは異なる。
【０２２１】
ダウンリンク情報送信ユニット８２０は、少なくとも２つのダウンリンク伝送モードについての情報を端末デバイスに送信するように構成される。該ユニットは、図４−１に示される実施形態のステップ４０２を実行するように構成することができる。ダウンリンク情報送信ユニット８２０は、具体的には、物理レイヤシグナリング、ＭＡＣレイヤシグナリング又はＲＲＣシグナリングを用いて、少なくとも２つのダウンリンク伝送モードについての情報を端末デバイスに送信するように構成されてよい。該ユニットの機能は、ネットワークインタフェースを用いて実現することができる。
【０２２２】
本発明の本実施形態において提供されるネットワークデバイスは、異なる長さを有するＴＴＩに対して個別にアンテナポートを構成することができる。つまり、ネットワークデバイスは、ケースに基づいて、異なるダウンリンク伝送モードに対応する測定参照信号のアンテナポートの構成方法を調整して、通信リソースを削減することができる。一方、関連技術では、異なる長さのＴＴＩについて通常１つのダウンリンク伝送モードが構成されるので、長さの異なるＴＴＩのダウンリンクデータ伝送に対応する測定参照信号のアンテナポートの構成状況は同じであり、アンテナポートの構成状況をケースに基づいて調整することはできない。結果として、通信リソースが無駄になる可能性がある。
【０２２３】
要するに、本発明の本実施形態において提供されるネットワークデバイスは、端末デバイスに対して、少なくとも２つのダウンリンク伝送モードを構成する。少なくとも２つのダウンリンク伝送モードのうちの第１のダウンリンク伝送モードと第２のダウンリンク伝送モードは、異なる長さに有するＴＴＩに対応する。これにより、関連技術における、ＴＴＩの長さが異なる場合にｅＮＢがＰＤＳＣＨ伝送スケジューリングを実行するときの柔軟性の低さという問題が解決され、ダウンリンクデータ伝送のスケジューリングの柔軟性が改善される。
【０２２４】
図９−１は、本発明の実施形態に係る端末デバイスのブロック図である。端末デバイスは、図４−１に示される実施形態における端末デバイスによって実現される手順を実現するように構成することができる。端末デバイス９００は、ダウンリンク情報受信ユニット９１０及びダウンリンクモード決定ユニット９２０を含む。
【０２２５】
ダウンリンク情報受信ユニット９１０は、ネットワークデバイスによって送信された少なくとも２つのダウンリンク伝送モードについての情報を受信するように構成される。少なくとも２つのダウンリンク伝送モードのうち、第１のダウンリンク伝送モードは第１のＴＴＩの時間単位のダウンリンクデータ伝送に用いられ、第２のダウンリンク伝送モードは第２のＴＴＩの時間単位のダウンリンクデータ伝送に用いられる。第１のＴＴＩの長さは第２のＴＴＩの長さとは異なる。該ユニットの機能は、受信部を用いて実現することができる。
【０２２６】
ダウンリンクモード決定ユニット９２０は、少なくとも２つのダウンリンク伝送モードについての情報に基づいて、少なくとも２つのダウンリンク伝送モードを決定するように構成される。該ユニットの機能は、プロセッサを用いて実現することができる。
【０２２７】
ダウンリンク情報受信ユニット９１０及びダウンリンクモード決定ユニット９２０は、図４−１に示される実施形態のステップ４０３を実行するように構成される。
【０２２８】
任意に、少なくとも２つのダウンリンク伝送モードは更に、第３のダウンリンク伝送モードを含む。
【０２２９】
第３のダウンリンク伝送モードは、第３のＴＴＩの時間単位のダウンリンクデータ伝送に用いられる。第３のＴＴＩの長さは第１のＴＴＩの長さとは異なり、第３のＴＴＩの長さは第２のＴＴＩの長さとは異なる。
【０２３０】
任意に、少なくとも２つのダウンリンク伝送モードのうちの第２のダウンリンク伝送モードは更に、第４のＴＴＩの時間単位のダウンリンクデータ伝送に用いられる。第４のＴＴＩの長さは第１のＴＴＩの長さとは異なり、第４のＴＴＩの長さは第２のＴＴＩの長さとは異なる。
【０２３１】
任意に、少なくとも２つのダウンリンク伝送モードの各々は測定参照信号に対応する。少なくとも２つのダウンリンク伝送モードを決定した後、端末デバイスは、少なくとも２つのダウンリンク伝送モードに対応する測定参照信号に基づいて、測定によりＣＳＩを取得してよい。ＣＳＩは、ＣＱＩ、ＰＭＩ及びＲＩのうち少なくとも１つを含んでよい。測定参照信号に基づいて測定によりＣＳＩを取得するプロセスは、以下のとおりであってよい。１．端末デバイスが、測定参照信号を推定することにより、ＣＳＩの測定に用いられるチャネル情報を取得する。２．端末デバイスが、推定により取得されたチャネル情報に基づいて、最適ＲＩ及び／又はＰＭＩと、ＲＩ及び／又はＰＭＩに対応するＳＩＮＲとを取得する。３．端末デバイスが、算出されたＳＩＮＲを４ビット（ｂｉｔ）ＣＱＩに量子化する。
【０２３２】
端末デバイスは、ＣＱＩ、ＰＭＩ及びＲＩのうち少なくとも１つをネットワークデバイスに報告してよい。
【０２３３】
図９−２に示されるように、端末デバイス９００は更に、第１のＣＳＩ測定ユニット９３０及び第１のＣＳＩ送信ユニット９４０を備える。
【０２３４】
第１のＣＳＩ測定ユニット９３０は、第１のダウンリンク伝送モードに対応する測定参照信号に基づいて、測定により第１のＣＳＩを取得し、第２のダウンリンク伝送モードに対応する測定参照信号に基づいて、測定により第２のＣＳＩを取得するように構成される。該ユニットは、図４−１に示される実施形態のステップ４０４１を実行するように構成することができる。該ユニットの機能は、プロセッサが、受信部によって受信された測定参照信号を解析することによって実現することができる。
【０２３５】
第１のＣＳＩ送信ユニット９４０は、第１のＣＳＩ及び第２のＣＳＩをネットワークデバイスに送信するように構成される。該ユニットは、図４−１に示される実施形態のステップ４０４２を実行するように構成することができる。該ユニットの機能は、送信部を用いて実現することができる。
【０２３６】
任意に、少なくとも２つのダウンリンク伝送モードの各々は測定参照信号に対応する。
【０２３７】
図９−３に示されるように、端末デバイス９００は更に、第２のＣＳＩ測定ユニット９５０及び第２のＣＳＩ送信ユニット９６０を備える。
【０２３８】
第２のＣＳＩ測定ユニット９５０は、第１のダウンリンク伝送モードに対応する測定参照信号に基づいて、測定により第１のＣＳＩを取得するように構成される。該ユニットは、図４−１に示される実施形態のステップ４０４３を実行するように構成することができる。該ユニットの機能は、プロセッサが、受信部によって受信された測定参照信号を解析することによって実現することができる。
【０２３９】
第２のＣＳＩ送信ユニット９６０は、第１のＣＳＩをネットワークデバイスに送信するように構成される。該ユニットは、図４−１に示される実施形態のステップ４０４４を実行するように構成することができる。該ユニットの機能は、送信部を用いて実現することができる。
【０２４０】
要するに、本発明の本実施形態において提供される端末デバイスは、ネットワークデバイスによって送信された、少なくとも２つのダウンリンク伝送モードについての情報に基づいて、ダウンリンク伝送モードを決定する。少なくとも２つのダウンリンク伝送モードのうちの第１のダウンリンク伝送モードと第２のダウンリンク伝送モードは、異なる長さを有するＴＴＩに対応する。これにより、関連技術における、ＴＴＩの長さが異なる場合にｅＮＢがＰＤＳＣＨ伝送スケジューリングを実行するときの柔軟性の低さという問題が解決され、ダウンリンクデータ伝送のスケジューリングの柔軟性が改善される。
【０２４１】
図１０は、本発明の実施形態に係るネットワークデバイスのブロック図である。該ネットワークデバイスは、図７に示される実施形態におけるネットワークデバイスによって実現される手順を実現するように構成することができる。ネットワークデバイス１０００は、アップリンク情報決定ユニット１０１０及びアップリンク情報送信ユニット１０２０を備える。
【０２４２】
アップリンク情報決定ユニット１０１０は、少なくとも２つのアップリンク伝送モードについての情報を決定するように構成される。少なくとも２つのアップリンク伝送モードのうち、第１のアップリンク伝送モードは第１のＴＴＩの時間単位のアップリンクデータ伝送に用いられ、第２のアップリンク伝送モードは第２のＴＴＩの時間単位のアップリンクデータ伝送に用いられる。第１のＴＴＩの長さは第２のＴＴＩの長さとは異なる。該ユニットは、図７に示される実施形態のステップ７０１を実行するように構成することができる。該ユニットの機能は、プロセッサを用いて実現することができる。
【０２４３】
ダウンリンク伝送モードと同様に、少なくとも２つのアップリンク伝送モードは更に、第３のアップリンク伝送モードを含んでよい。第３のアップリンク伝送モードは、第３のＴＴＩの時間単位のアップリンクデータ伝送に用いられる。第３のＴＴＩの長さは第１のＴＴＩの長さとは異なり、第３のＴＴＩの長さは第２のＴＴＩの長さとは異なる。つまり、ネットワークデバイスは、端末デバイスに対して少なくとも３つのアップリンク伝送モードを決定することができ、３つのアップリンク伝送モードは異なるＴＴＩ長を有する。
【０２４４】
同様に、少なくとも２つのアップリンク伝送モードのうち第２のアップリンク伝送モードは、更に、第４のＴＴＩの時間単位のアップリンクデータ伝送に用いられてよい。第４のＴＴＩの長さは第２のＴＴＩの長さとは異なる。つまり、ネットワークデバイスにより端末デバイスに対して決定されるアップリンク伝送モードのうち、１つのアップリンク伝送モードを、異なる長さを有する２つのＴＴＩに対応するアップリンクデータ伝送において用いることができる。異なる長さを有する２つのＴＴＩは、従来のＴＴＩの長さよりも小さい長さを有する２つのＴＴＩであってよい。或いは、一方のＴＴＩは、従来のＴＴＩの長さよりも小さい長さを有するＴＴＩであり、他方のＴＴＩは従来のＴＴＩであってよい。
【０２４５】
アップリンク情報送信ユニット１０２０は、少なくとも２つのアップリンク伝送モードについての情報を端末デバイスに送信するように構成される。該ユニットは、図７に示される実施形態におけるステップ７０２を実行するように構成することができる。該ユニットの機能は、ネットワークインタフェースを用いて実現することができる。
【０２４６】
任意に、アップリンク情報送信ユニット１０２０は、具体的には、物理レイヤシグナリング又は無線リソース制御シグナリングを用いて、少なくとも２つのアップリンク伝送モードについての情報を端末デバイスに送信するように構成される。
【０２４７】
要するに、本発明の本実施形態において提供されるネットワークデバイスは、端末デバイスに対して少なくとも２つのアップリンク伝送モードを構成する。少なくとも２つのアップリンク伝送モードのうちの第１のアップリンク伝送モードと第２のアップリンク伝送モードは、異なる長さを有するＴＴＩに対応する。これにより、関連技術における、ＴＴＩの長さが異なる場合にｅＮＢがＰＵＳＣＨ伝送スケジューリングを実行するときの柔軟性の低さという問題が解決され、アップリンクデータ伝送のスケジューリングの柔軟性が改善される。
【０２４８】
図１１は、本発明の実施形態に係る端末デバイスのブロック図である。該端末デバイスは、図７に示される実施形態における端末デバイスによって実現される手順を実現するように構成することができる。端末デバイス１１００は、アップリンク情報受信ユニット１１１０及びアップリンクモード決定ユニット１１２０を備える。
【０２４９】
アップリンク情報受信ユニット１１１０は、ネットワークデバイスによって送信された少なくとも２つのアップリンク伝送モードについての情報を受信するように構成される。少なくとも２つのアップリンク伝送モードのうち、第１のアップリンク伝送モードは第１のＴＴＩの時間単位のアップリンクデータ伝送に用いられ、第２のアップリンク伝送モードは第２のＴＴＩの時間単位のアップリンクデータ伝送に用いられる。第１のＴＴＩの長さは第２のＴＴＩの長さとは異なる。該ユニットの機能は、受信部を用いて実現することができる。
【０２５０】
アップリンクモード決定ユニット１１２０は、少なくとも２つのアップリンク伝送モードについての情報に基づいて、少なくとも２つのアップリンク伝送モードを決定するように構成される。該ユニットの機能は、プロセッサを用いて実現することができる。
【０２５１】
要するに、本発明の本実施形態において提供される端末デバイスは、ネットワークデバイスによって送信された、少なくとも２つのアップリンク伝送モードについての情報に基づいて、アップリンク伝送モードを決定する。少なくとも２つのアップリンク伝送モードのうちの第１のアップリンク伝送モードと第２のアップリンク伝送モードは、異なる長さを有するＴＴＩに対応する。これにより、関連技術における、ＴＴＩの長さが異なる場合にｅＮＢがＰＵＳＣＨ伝送スケジューリングを実行するときの柔軟性の低さという問題が解決され、アップリンクデータ伝送のスケジューリングの柔軟性が改善される。
【０２５２】
図１２は、本発明の実施形態に係る別のネットワークデバイスの概略図である。ネットワークデバイスは、プロセッサ１２０１、メモリ１２０２、ネットワークインタフェース１２０３及びバス１２０４を備える。バス１２０４は、プロセッサ１２０１、メモリ１２０２及びネットワークインタフェース１２０３を接続するように構成される。プロセッサ１２０１は、メモリ１２０２に記憶されたプログラムを実行するように構成される。
【０２５３】
プロセッサ１２０１は、少なくとも２つのダウンリンク伝送モードについての情報を決定するように構成される。少なくとも２つのダウンリンク伝送モードのうち、第１のダウンリンク伝送モードは第１の伝送時間間隔（ＴＴＩ）の時間単位のダウンリンクデータ伝送に用いられ、第２のダウンリンク伝送モードは第２のＴＴＩの時間単位のダウンリンクデータ伝送に用いられる。第１のＴＴＩの長さは第２のＴＴＩの長さとは異なる。
【０２５４】
ネットワークインタフェース１２０３は、少なくとも２つのダウンリンク伝送モードについての情報を端末デバイスに送信するように構成される。
【０２５５】
任意に、少なくとも２つのダウンリンク伝送モードは更に、第３のダウンリンク伝送モードを含む。
【０２５６】
第３のダウンリンク伝送モードは、第３のＴＴＩの時間単位のダウンリンクデータ伝送に用いられる。第３のＴＴＩの長さは第１のＴＴＩの長さとは異なり、第３のＴＴＩの長さは第２のＴＴＩの長さとは異なる。
【０２５７】
任意に、少なくとも２つのダウンリンク伝送モードのうちの第２のダウンリンク伝送モードは更に、第４のＴＴＩの時間単位のダウンリンクデータ伝送に用いられる。第４のＴＴＩの長さは第２のＴＴＩの長さとは異なる。
【０２５８】
任意に、第４のＴＴＩの長さと第２のＴＴＩの長さとの差は、予め設定された差よりも小さい。
【０２５９】
任意に、少なくとも２つのダウンリンク伝送モードの各々は測定参照信号に対応する。測定参照信号は、チャネル状態情報参照信号（ＣＳＩ−ＲＳ）、共通参照信号（ＣＲＳ）及びチャネル状態情報プロセス（CSI  process）のうち任意の１つを含む。
【０２６０】
任意に、第２のＴＴＩの長さは１ミリ秒であり、第１のＴＴＩの長さは第２のＴＴＩの長さよりも小さい。ダウンリンク伝送モードのタイプは伝送モード（ＴＭ）１〜ＴＭ１０を含む。
【０２６１】
第２のダウンリンク伝送モードのタイプはＴＭ１又はＴＭ２であり、第１のダウンリンク伝送モードのタイプはＴＭ９又はＴＭ１０である。又は、
第２のダウンリンク伝送モードのタイプはＴＭ９又はＴＭ１０であり、第１のダウンリンク伝送モードのタイプはＴＭ１〜ＴＭ８のうち任意の１つである。又は、
第２のダウンリンク伝送モードのタイプはＴＭ１又はＴＭ２であり、第１のダウンリンク伝送モードのタイプはＴＭ１〜ＴＭ８のうち任意の１つである。
【０２６２】
任意に、少なくとも２つのダウンリンク伝送モードのうち任意の１つは、少なくとも１つの測定参照信号のアンテナポートに対応する。
【０２６３】
第１のダウンリンク伝送モードに対応する測定参照信号のアンテナポートのポート番号は、第２のダウンリンク伝送モードに対応する測定参照信号のアンテナポートのポート番号とは異なり、且つ、第１のダウンリンク伝送モードと第２のダウンリンク伝送モードは異なる数のアンテナポートに対応する。又は、
第１のダウンリンク伝送モードに対応する測定参照信号のアンテナポートのポート番号は、第２のダウンリンク伝送モードに対応する測定参照信号のアンテナポートのポート番号とは異なるが、第１のダウンリンク伝送モードと第２のダウンリンク伝送モードは同じ数のアンテナポートに対応する。又は、
第１のダウンリンク伝送モードに対応する測定参照信号のアンテナポートのポート番号は、第２のダウンリンク伝送モードに対応する測定参照信号のアンテナポートのポート番号と同じであり、第１のダウンリンク伝送モードに対応する測定参照信号のアンテナポートの数は、第２のダウンリンク伝送モードに対応する測定参照信号のアンテナポートの数とは異なる。
【０２６４】
ネットワークインタフェース１２０３は、物理レイヤシグナリング又は無線リソース制御シグナリングを用いて、少なくとも２つのダウンリンク伝送モードについての情報を端末デバイスに送信するように構成される。
【０２６５】
本発明の本実施形態の具体的内容及び実施方式については、図４−１に示される実施形態を参照されたい。ここでは詳細の説明を省略する。
【０２６６】
要するに、本発明の本実施形態において提供されるネットワークデバイスは、端末デバイスに対して少なくとも２つのダウンリンク伝送モードを構成する。少なくとも２つのダウンリンク伝送モードのうちの第１のダウンリンク伝送モードと第２のダウンリンク伝送モードは、異なる長さを有するＴＴＩに対応する。これにより、関連技術における、ＴＴＩの長さが異なる場合にｅＮＢがＰＤＳＣＨ伝送スケジューリングを実行するときの柔軟性の低さという問題が解決され、ダウンリンクデータ伝送のスケジューリングの柔軟性が改善される。
【０２６７】
図１３は、本発明の実施形態に係る、別の端末デバイスの概略図である。端末デバイス１３００は、送信部１３０１、受信部１３０２及びプロセッサ１３０３を備える。
【０２６８】
受信部１３０２は、ネットワークデバイスによって送信された少なくとも２つのダウンリンク伝送モードについての情報を受信するように構成される。少なくとも２つのダウンリンク伝送モードのうち、第１のダウンリンク伝送モードは第１のＴＴＩの時間単位のダウンリンクデータ伝送に用いられ、第２のダウンリンク伝送モードは第２のＴＴＩの時間単位のダウンリンクデータ伝送に用いられる。第１のＴＴＩの長さは第２のＴＴＩの長さとは異なる。
【０２６９】
プロセッサ１３０３は、少なくとも２つのダウンリンク伝送モードについての情報に基づいて、少なくとも２つのダウンリンク伝送モードを決定するように構成される。
【０２７０】
任意に、少なくとも２つのダウンリンク伝送モードは更に、第３のダウンリンク伝送モードを含む。
【０２７１】
第３のダウンリンク伝送モードは、第３のＴＴＩの時間単位のダウンリンクデータ伝送に用いられる。第３のＴＴＩの長さは第１のＴＴＩの長さとは異なり、第３のＴＴＩの長さは第２のＴＴＩの長さとは異なる。
【０２７２】
任意に、少なくとも２つのダウンリンク伝送モードのうちの第２のダウンリンク伝送モードは更に、第４のＴＴＩの時間単位のダウンリンクデータ伝送に用いられる。第４のＴＴＩの長さは第１のＴＴＩの長さとは異なり、第４のＴＴＩの長さは第２のＴＴＩの長さとは異なる。
【０２７３】
任意に、少なくとも２つのダウンリンク伝送モードの各々は測定参照信号に対応する。
【０２７４】
プロセッサ１３０３は、第１のダウンリンク伝送モードに対応する測定参照信号に基づいて、測定により第１のＣＳＩを取得し、第２のダウンリンク伝送モードに対応する測定参照信号に基づいて、測定により第２のＣＳＩを取得するように構成される。
【０２７５】
送信部１３０１は、第１のＣＳＩ及び第２のＣＳＩをネットワークデバイスに送信するように構成される。
【０２７６】
任意に、少なくとも２つのダウンリンク伝送モードの各々は測定参照信号に対応する。
【０２７７】
プロセッサ１３０３は、第１のダウンリンク伝送モードに対応する測定参照信号に基づいて、測定により第１のＣＳＩを取得するように構成される。
【０２７８】
送信部１３０１は、第１のＣＳＩをネットワークデバイスに送信するように構成される。
【０２７９】
本発明の本実施形態の具体的内容及び実施方式については、図４−１に示される実施形態を参照されたい。ここでは詳細の説明を省略する。
【０２８０】
要するに、本発明の本実施形態において提供される端末デバイスは、ネットワークデバイスによって送信された、少なくとも２つのダウンリンク伝送モードについての情報に基づいて、ダウンリンク伝送モードを決定する。少なくとも２つのダウンリンク伝送モードのうちの第１のダウンリンク伝送モードと第２のダウンリンク伝送モードは、異なる長さを有するＴＴＩに対応する。これにより、関連技術における、ＴＴＩの長さが異なる場合にｅＮＢがＰＤＳＣＨ伝送スケジューリングを実行するときの柔軟性の低さという問題が解決され、ダウンリンクデータ伝送のスケジューリングの柔軟性が改善される。
【０２８１】
図１４は、本発明の実施形態に係る、別のネットワークデバイスの概略図である。ネットワークデバイスは、プロセッサ１４０１、メモリ１４０２、ネットワークインタフェース１４０３及びバス１４０４を備える。バス１４０４は、プロセッサ１４０１、メモリ１４０２及びネットワークインタフェース１４０３を接続するように構成される。プロセッサ１４０１は、メモリ１４０２に記憶されたプログラムを実行するように構成される。
【０２８２】
プロセッサ１４０１は、少なくとも２つのアップリンク伝送モードについての情報を決定するように構成される．少なくとも２つのアップリンク伝送モードのうち、第１のアップリンク伝送モードは第１のＴＴＩの時間単位のアップリンクデータ伝送に用いられ、第２のアップリンク伝送モードは第２のＴＴＩの時間単位のアップリンクデータ伝送に用いられる。第１のＴＴＩの長さは第２のＴＴＩの長さとは異なる。
【０２８３】
ネットワークインタフェース１４０３は、少なくとも２つのアップリンク伝送モードについての情報を端末デバイスに送信するように構成される。
【０２８４】
ネットワークインタフェース１４０３は、物理レイヤシグナリング又は無線リソース制御シグナリングを用いて、少なくとも２つのアップリンク伝送モードについての情報を端末デバイスに送信するように構成される。
【０２８５】
本発明の本実施形態の具体的内容及び実施方式については、図７に示される実施形態を参照されたい。ここでは詳細の説明を省略する。
【０２８６】
要するに、本発明の本実施形態において提供されるネットワークデバイスは、端末デバイスに対して少なくとも２つのアップリンク伝送モードを構成する。少なくとも２つのアップリンク伝送モードのうちの第１のアップリンク伝送モードと第２のアップリンク伝送モードは、異なる長さを有するＴＴＩに対応する。これにより、関連技術における、ＴＴＩの長さが異なる場合にｅＮＢがＰＵＳＣＨ伝送スケジューリングを実行するときの柔軟性の低さという問題が解決され、アップリンクデータ伝送のスケジューリングの柔軟性が改善される。
【０２８７】
図１５は、本発明の実施形態に係る、別の端末デバイスの概略図である。端末デバイス１５００は、受信部１５０１及びプロセッサ１５０２を備える。
【０２８８】
受信部１５０１は、ネットワークデバイスによって送信された少なくとも２つのアップリンク伝送モードについての情報を受信するように構成される。少なくとも２つのアップリンク伝送モードのうち、第１のアップリンク伝送モードは第１のＴＴＩの時間単位のアップリンクデータ伝送に用いられ、第２のアップリンク伝送モードは第２のＴＴＩの時間単位のアップリンクデータ伝送に用いられる。第１のＴＴＩの長さは第２のＴＴＩの長さとは異なる。
【０２８９】
プロセッサ１５０２は、少なくとも２つのアップリンク伝送モードについての情報に基づいて、少なくとも２つのアップリンク伝送モードを決定するように構成される。
【０２９０】
本発明の本実施形態の具体的内容及び実施方式については、図７に示される実施形態を参照されたい。ここでは詳細の説明を省略する。
【０２９１】
要するに、本発明の本実施形態において提供される端末デバイスは、ネットワークデバイスによって送信された、少なくとも２つのアップリンク伝送モードについての情報に基づいて、アップリンク伝送モードを決定する。少なくとも２つのアップリンク伝送モードのうちの第１のアップリンク伝送モードと第２のアップリンク伝送モードは、異なる長さを有するＴＴＩに対応する。これにより、関連技術における、ＴＴＩの長さが異なる場合にｅＮＢがＰＵＳＣＨ伝送スケジューリングを実行するときの柔軟性の低さという問題が解決され、アップリンクデータ伝送のスケジューリングの柔軟性が改善される。
【０２９２】
本発明の実施形態は、伝送モードについての情報を伝送するためのシステムを提供する。本システムは、ネットワークデバイス及び端末デバイスを備える。
【０２９３】
ネットワークデバイスは、図８又は図１２に示されるネットワークデバイスを含む。該ネットワークデバイスは、図４−１に示される実施形態におけるネットワークデバイスによって実現される手順を実現するように構成することができる。
【０２９４】
端末デバイスは、図９−１、図９−２、図９−３又は図１３に示される端末デバイスを含む。該端末デバイスは、図４−１に示される実施形態における端末デバイスによって実現される手順を実現するように構成することができる。
【０２９５】
本発明の実施形態は、伝送モードについての情報を伝送するためのシステムを提供する。本システムは、ネットワークデバイス及び端末デバイスを備える。
【０２９６】
ネットワークデバイスは、図１０又は図１４に示されるネットワークデバイスを含む。ネットワークデバイスは、図７に示される実施形態におけるネットワークデバイスによって実現される手順を実現するように構成することができる。
【０２９７】
端末デバイスは、図１１又は図１５に示される端末デバイスを含む。該端末デバイスは、図７に示される実施形態における端末デバイスによって実現される手順を実現するように構成することができる。
【０２９８】
本発明の「Ａ及びＢのうちの少なくとも１つ」という記載は、関連オブジェクトを説明するための関連関係を記述するものに過ぎず、３通りの関係が存在し得ることを表す。例えば、Ａ及びＢのうちの少なくとも１つは、Ａのみ存在する場合と、ＡとＢの両方が存在する場合と、Ｂのみ存在する場合との３通りの場合を表し得る。同様に、「Ａ、Ｂ及びＣのうちの少なくとも１つ」は、７通りの関係が存在し得ることを表し、以下の７通りの場合、すなわち、Ａのみ存在する場合、Ｂのみ存在する場合、Ｃのみ存在する場合、ＡとＢの両方が存在する場合、ＡとＣの両方が存在する場合、ＣとＢの両方が存在する場合、Ａ、Ｂ及びＣが存在する場合、を表す。同様に、「Ａ、Ｂ、Ｃ及びＤのうちの少なくとも１つ」は、１５通りの関係が存在し得ることを表し、以下の１５通りの場合、すなわち、Ａのみ存在する場合、Ｂのみ存在する場合、Ｃのみ存在する場合、Ｄのみ存在する場合、ＡとＢの両方が存在する場合、ＡとＣの両方が存在する場合、ＡとＤの両方が存在する場合、ＣとＢの両方が存在する場合、ＤとＢの両方が存在する場合、ＣとＤの両方が存在する場合、Ａ、Ｂ及びＣが存在する場合、Ａ、Ｂ及びＤが存在する場合、Ａ、Ｃ及びＤが存在する場合、Ｂ、Ｃ及びＤが存在する場合、Ａ、Ｂ、Ｃ及びＤが存在する場合、を表す。
【０２９９】
本発明における「及び／又は」という記載は、関連オブジェクトを説明するための関連関係を記述するものに過ぎず、３通りの関係が存在し得ることを表す。例えば、Ａ及び／又はＢは、Ａのみ存在する場合と、ＡとＢの両方が存在する場合と、Ｂのみ存在する場合との３通りの場合を表し得る。更に、本明細書における記号「／」は、一般に、関連オブジェクト間の「又は」の関係を示す。
【０３００】
当業者であれば明確に理解できることとして、説明を簡便にするために、上述したデバイス及びユニットの具体的な動作プロセスについては、前述の方法実施形態における対応するプロセスを参照されたい。ここでは詳細の説明を省略する。
【０３０１】
当業者であれば理解できるように、実施形態のステップの全部又は一部は、ハードウェア又は関連するハードウェアに命令するプログラムによって実現されてよい。プログラムは、コンピュータ可読記憶媒体に記憶されてよい。記憶媒体は、読取専用メモリ、磁気ディスク又は光ディスクを含むことができる。
【０３０２】
以上の説明は、本発明の好ましい実施形態に過ぎず、本発明を限定するものではない。本発明の主旨及び原則から逸脱することなくなされた任意の変更、均等置換及び改良は、本発明の保護範囲に包含されるものとする。
【図１−１】
2019515531.tif 000004
【図１−２】
2019515531.tif 000005
【図２】
2019515531.tif 000006
【図３】
2019515531.tif 000007
【図４−１】
2019515531.tif 000008
【図４−２】
2019515531.tif 000009
【図４−３】
2019515531.tif 000010
【図５】
2019515531.tif 000011
【図６】
2019515531.tif 000012
【図７】
2019515531.tif 000013
【図８】
2019515531.tif 000014
【図９−１】
2019515531.tif 000015
【図９−２】
2019515531.tif 000016
【図９−３】
2019515531.tif 000017
【図１０】
2019515531.tif 000018
【図１１】
2019515531.tif 000019
【図１２】
2019515531.tif 000020
【図１３】
2019515531.tif 000021
【図１４】
2019515531.tif 000022
【図１５】
2019515531.tif 000023
【手続補正書】
【提出日】平成30年10月4日(2018.10.4)
【手続補正１】
【補正対象書類名】特許請求の範囲
【補正対象項目名】全文
【補正方法】変更
【補正の内容】
【特許請求の範囲】
【請求項１】
伝送モードについての情報を伝送する方法であって、
少なくとも２つのダウンリンク伝送モードについての情報を決定するステップであって、前記少なくとも２つのダウンリンク伝送モードのうち、第１のダウンリンク伝送モードは第１の伝送時間間隔（ＴＴＩ）の時間単位のダウンリンクデータ伝送に用いられ、第２のダウンリンク伝送モードは第２のＴＴＩの時間単位のダウンリンクデータ伝送に用いられ、前記第１のＴＴＩの長さは前記第２のＴＴＩの長さとは異なる、ステップと、
前記少なくとも２つのダウンリンク伝送モードについての前記情報を端末デバイスに送信するステップと、
を含む方法。
【請求項２】
前記少なくとも２つのダウンリンク伝送モードのうちの前記第２のダウンリンク伝送モードは更に、第４のＴＴＩの時間単位のダウンリンクデータ伝送に用いられ、前記第４のＴＴＩの長さは前記第２のＴＴＩの前記長さとは異なる、
請求項１に記載の方法。
【請求項３】
前記第４のＴＴＩの前記長さと前記第２のＴＴＩの前記長さとの差は、予め設定された差よりも小さい、
請求項２に記載の方法。
【請求項４】
前記第２のＴＴＩの前記長さは１ミリ秒であり、前記第１のＴＴＩの前記長さは前記第２のＴＴＩの前記長さよりも小さく、前記ダウンリンク伝送モードのタイプは伝送モード（ＴＭ）１乃至ＴＭ１０を含み、
前記第２のダウンリンク伝送モードのタイプは前記ＴＭ１又は前記ＴＭ２であり、前記第１のダウンリンク伝送モードのタイプは前記ＴＭ９又は前記ＴＭ１０であり、又は、
前記第２のダウンリンク伝送モードのタイプは前記ＴＭ９又は前記ＴＭ１０であり、前記第１のダウンリンク伝送モードのタイプは前記ＴＭ１乃至前記ＴＭ８のうち任意の１つであり、又は、
前記第２のダウンリンク伝送モードのタイプは前記ＴＭ１又は前記ＴＭ２であり、前記第１のダウンリンク伝送モードのタイプは前記ＴＭ１乃至前記ＴＭ８のうち任意の１つである、
請求項１乃至３のいずれか一項に記載の方法。
【請求項５】
前記少なくとも２つのダウンリンク伝送モードのうち任意の１つは、少なくとも１つの測定参照信号のアンテナポートに対応し、
前記第１のダウンリンク伝送モードに対応する測定参照信号のアンテナポートのポート番号は、前記第２のダウンリンク伝送モードに対応する測定参照信号のアンテナポートのポート番号とは異なり、且つ、前記第１のダウンリンク伝送モードと前記第２のダウンリンク伝送モードは異なる数のアンテナポートに対応し、又は、
前記第１のダウンリンク伝送モードに対応する測定参照信号のアンテナポートのポート番号は、前記第２のダウンリンク伝送モードに対応する測定参照信号のアンテナポートのポート番号とは異なるが、前記第１のダウンリンク伝送モードと前記第２のダウンリンク伝送モードは同じ数のアンテナポートに対応し、又は、
前記第１のダウンリンク伝送モードに対応する測定参照信号のアンテナポートのポート番号は、前記第２のダウンリンク伝送モードに対応する測定参照信号のアンテナポートのポート番号と同じであり、前記第１のダウンリンク伝送モードに対応する前記測定参照信号のアンテナポートの数は、前記第２のダウンリンク伝送モードに対応する前記測定参照信号のアンテナポートの数とは異なる、
請求項１乃至４のいずれか一項に記載の方法。
【請求項６】
前記少なくとも２つのダウンリンク伝送モードについての前記情報を端末デバイスに送信する前記ステップは、
物理レイヤシグナリング又は無線リソース制御シグナリングを用いて、前記少なくとも２つのダウンリンク伝送モードについての前記情報を前記端末デバイスに送信するステップ、
を含む、請求項１乃至５のいずれか一項に記載の方法。
【請求項７】
伝送モードについての情報を伝送する方法であって、
ネットワークデバイスによって送信された少なくとも２つのダウンリンク伝送モードについての情報を受信するステップであって、前記少なくとも２つのダウンリンク伝送モードのうち、第１のダウンリンク伝送モードは第１のＴＴＩの時間単位のダウンリンクデータ伝送に用いられ、第２のダウンリンク伝送モードは第２のＴＴＩの時間単位のダウンリンクデータ伝送に用いられ、前記第１のＴＴＩの長さは前記第２のＴＴＩの長さとは異なる、ステップと、
前記少なくとも２つのダウンリンク伝送モードについての前記情報に基づいて、前記少なくとも２つのダウンリンク伝送モードを決定するステップと、
を含む方法。
【請求項８】
前記少なくとも２つのダウンリンク伝送モードのうちの前記第２のダウンリンク伝送モードは更に、第４のＴＴＩの時間単位のダウンリンクデータ伝送に用いられ、前記第４のＴＴＩの長さは前記第１のＴＴＩの前記長さとは異なり、前記第４のＴＴＩの前記長さは前記第２のＴＴＩの前記長さとは異なる、
請求項７に記載の方法。
【請求項９】
前記少なくとも２つのダウンリンク伝送モードの各々は測定参照信号に対応し、
前記少なくとも２つのダウンリンク伝送モードについての前記情報に基づいて前記少なくとも２つのダウンリンク伝送モードを決定する前記ステップの後、
前記第１のダウンリンク伝送モードに対応する測定参照信号に基づいて、測定により第１のＣＳＩを取得し、前記第２のダウンリンク伝送モードに対応する測定参照信号に基づいて、測定により第２のＣＳＩを取得するステップと、
前記第１のＣＳＩ及び前記第２のＣＳＩを前記ネットワークデバイスに送信するステップと、
を更に含む、請求項７又は８に記載の方法。
【請求項１０】
ネットワークデバイスであって、
少なくとも２つのダウンリンク伝送モードについての情報を決定するように構成されるダウンリンク情報決定ユニットであって、前記少なくとも２つのダウンリンク伝送モードのうち、第１のダウンリンク伝送モードは第１の伝送時間間隔（ＴＴＩ）の時間単位のダウンリンクデータ伝送に用いられ、第２のダウンリンク伝送モードは第２のＴＴＩの時間単位のダウンリンクデータ伝送に用いられ、前記第１のＴＴＩの長さは前記第２のＴＴＩの長さとは異なる、ダウンリンク情報決定ユニットと、
前記少なくとも２つのダウンリンク伝送モードについての前記情報を端末デバイスに送信するように構成されるダウンリンク情報送信ユニットと、
を備えるネットワークデバイス。
【請求項１１】
前記少なくとも２つのダウンリンク伝送モードのうちの前記第２のダウンリンク伝送モードは更に、第４のＴＴＩの時間単位のダウンリンクデータ伝送に用いられ、前記第４のＴＴＩの長さは前記第２のＴＴＩの前記長さとは異なる、
請求項１０に記載のネットワークデバイス。
【請求項１２】
前記第２のＴＴＩの前記長さは１ミリ秒であり、前記第１のＴＴＩの前記長さは前記第２のＴＴＩの前記長さよりも小さく、前記ダウンリンク伝送モードのタイプは伝送モード（ＴＭ）１乃至ＴＭ１０を含み、
前記第２のダウンリンク伝送モードのタイプは前記ＴＭ１又は前記ＴＭ２であり、前記第１のダウンリンク伝送モードのタイプは前記ＴＭ９又は前記ＴＭ１０であり、又は、
前記第２のダウンリンク伝送モードのタイプは前記ＴＭ９又は前記ＴＭ１０であり、前記第１のダウンリンク伝送モードのタイプは前記ＴＭ１乃至前記ＴＭ８のうち任意の１つであり、又は、
前記第２のダウンリンク伝送モードのタイプは前記ＴＭ１又は前記ＴＭ２であり、前記第１のダウンリンク伝送モードのタイプは前記ＴＭ１乃至前記ＴＭ８のうち任意の１つである、
請求項１０又は１１に記載のネットワークデバイス。
【請求項１３】
端末デバイスであって、
ネットワークデバイスによって送信された少なくとも２つのダウンリンク伝送モードについての情報を受信するように構成されるダウンリンク情報受信ユニットであって、前記少なくとも２つのダウンリンク伝送モードのうち、第１のダウンリンク伝送モードは第１のＴＴＩの時間単位のダウンリンクデータ伝送に用いられ、第２のダウンリンク伝送モードは第２のＴＴＩの時間単位のダウンリンクデータ伝送に用いられ、前記第１のＴＴＩの長さは前記第２のＴＴＩの長さとは異なる、ダウンリンク情報受信ユニットと、
前記少なくとも２つのダウンリンク伝送モードについての前記情報に基づいて、前記少なくとも２つのダウンリンク伝送モードを決定するように構成されるダウンリンクモード決定ユニットと、
を備える端末デバイス。
【請求項１４】
前記少なくとも２つのダウンリンク伝送モードのうちの前記第２のダウンリンク伝送モードは更に、第４のＴＴＩの時間単位のダウンリンクデータ伝送に用いられ、前記第４のＴＴＩの長さは前記第１のＴＴＩの前記長さとは異なり、前記第４のＴＴＩの前記長さは前記第２のＴＴＩの前記長さとは異なる、
請求項１３に記載の端末デバイス。
【請求項１５】
前記少なくとも２つのダウンリンク伝送モードの各々は測定参照信号に対応し、
前記端末デバイスは更に、
前記第１のダウンリンク伝送モードに対応する測定参照信号に基づいて、測定により第１のＣＳＩを取得し、前記第２のダウンリンク伝送モードに対応する測定参照信号に基づいて、測定により第２のＣＳＩを取得するように構成される第１のＣＳＩ測定ユニットと、
前記第１のＣＳＩ及び前記第２のＣＳＩを前記ネットワークデバイスに送信するように構成される第１のＣＳＩ送信ユニットと、
を備える、請求項１３又は１４に記載の端末デバイス。
【請求項１６】
請求項１乃至６のいずれか一項に記載の方法をコンピュータに実行させるプログラム。
【請求項１７】
請求項７乃至９のいずれか一項に記載の方法をコンピュータに実行させるプログラム。
【請求項１８】
請求項１６に記載のプログラムがコードされた非一時的コンピュータ可読記憶媒体。
【請求項１９】
請求項１７に記載のプログラムがコードされた非一時的コンピュータ可読記憶媒体。
【手続補正２】
【補正対象書類名】明細書
【補正対象項目名】００１９
【補正方法】変更
【補正の内容】
【００１９】
関連技術では、ネットワークデバイスは、ＵＥに対して伝送モードを１つだけ決定する。通常、１つの伝送モードにはアンテナポート構成方法が１つだけ存在する。一方、本発明では、ネットワークデバイスは、ＵＥに対して少なくとも２つのダウンリンク伝送モードを決定する。少なくとも２つのダウンリンク伝送モードのうち、少なくとも１つの測定参照信号のアンテナポートは、少なくとも２つのダウンリンク伝送モードのうち任意の１つに対して構成される。更に、少なくとも２つのダウンリンク伝送モードのうちの第１のダウンリンク伝送モード及び第２のダウンリンク伝送モードのアンテナポートの構成状況は、異なってよい。第１のダウンリンク伝送モード及び第２のダウンリンク伝送モードのアンテナポートの構成状況は、以下の３つのケースを含んでよい。
【手続補正３】
【補正対象書類名】明細書
【補正対象項目名】００２１
【補正方法】変更
【補正の内容】
【００２１】
ケース２：第１のダウンリンク伝送モードのアンテナポートのポート番号は第２のダウンリンク伝送モードのアンテナポートのポート番号とは異なるが、第１のダウンリンク伝送モードと第２のダウンリンク伝送モードは同じ数のアンテナポートに対応する。例えば、第１のダウンリンク伝送モードには２つのアンテナポートがあり、ポート番号は０と１であり、第２のダウンリンク伝送モードには２つのアンテナポートがあり、ポート番号は３と４である。
【手続補正４】
【補正対象書類名】明細書
【補正対象項目名】０１０２
【補正方法】変更
【補正の内容】
【０１０２】
本発明の実施形態では、アップリンクシンボルとダウンリンクシンボルの両方をまとめてシンボルと呼ぶことがある。シンボルは、サイクリックプレフィックス（英語：Cyclic  Prefix、略してＣＰ）と情報部分を含む。情報部分はシンボルについての全ての情報を含み、ＣＰは情報部分の一部の信号の繰返しである。
【手続補正５】
【補正対象書類名】明細書
【補正対象項目名】０１０３
【補正方法】変更
【補正の内容】
【０１０３】
留意すべきこととして、ネットワークデバイスにより端末デバイスに送信される少なくとも２つのダウンリンク伝送モードの各々は、測定参照信号に対応する。各ダウンリンク伝送モードに対応する測定参照信号は、ＴＴＩの長さに基づいて構成することができる。１つのダウンリンク伝送モードに対応する測定参照信号のタイプや周期などの各種パラメータは、別のダウンリンク伝送モードに対応する測定参照信号のものから独立している。ＴＴＩの長さに基づいて測定参照信号を構成するプロセスについては、関連技術を参照されたい。例えば、測定参照信号がチャネル状態情報参照信号（英語：Channel  State  Information-Reference  Signal、略してＣＳＩ−ＲＳ）であるとき、端末デバイスの処理時間を考慮すると、ＣＳＩ−ＲＳフィードバックの絶対時間は、ＴＴＩの長さが長いほど長くなる可能性があり、一方、ＣＳＩ−ＲＳフィードバックの絶対時間は、ＴＴＩの長さが短いほど短くなる可能性がある。ネットワークデバイスは、ダウンリンク伝送モードの測定参照信号の各種パラメータを構成することができ、各種パラメータを、ダウンリンク伝送モードについての情報と共に端末デバイスに送信し、又は、ダウンリンク伝送モードについての情報を送信する前に、測定参照信号の各種パラメータを端末デバイスに送信することができる。
【手続補正６】
【補正対象書類名】明細書
【補正対象項目名】０１０４
【補正方法】変更
【補正の内容】
【０１０４】
更に留意すべきこととして、ＬＴＥシステム又はＬＴＥ−Ａシステムでは、ダウンリンク伝送モードのタイプは１０個のダウンリンク伝送モードのタイプ、すなわち伝送モード（英語：Transmission  mode、略してＴＭ）１〜ＴＭ１０を含んでよい。ＴＭ１〜ＴＭ８に対応する測定参照信号は、通常、共通参照信号（英語：Common  Reference  Signal、略してＣＲＳ）であり、ＴＭ９に対応する測定参照信号は通常ＣＳＩ−ＲＳであり、ＴＭ１０に対応する測定参照信号は通常ＣＳＩプロセス（英語：ＣＳＩ−Ｐｒｏｃｅｓｓ）である。１つのＣＳＩプロセスは、非ゼロパワーＣＳＩ−ＲＳと、１つのチャネル状態情報‐干渉測定（英語：Channel  State  Information-Interference  Measurement、略してＣＳＩ−ＩＭ）とを含む。ネットワークデバイスは通常、各サブフレームでＣＲＳを送信する。各サブフレームのＣＲＳの数は、システムで構成されたＣＲＳのアンテナポートの数に関連する。ＣＲＳとは異なり、ＣＳＩ−ＲＳは通常、固定間隔でネットワークデバイスによって構成される。ＣＳＩ−ＲＳが存在するサブフレームのＣＳＩ−ＲＳの数は、システムで構成されたＣＳＩ−ＲＳのアンテナポートの数に関連する。ＣＳＩ−ＲＳの構成状況と同様に、ＣＳＩ−ＩＭも固定間隔で構成される。相違点は、ＣＳＩ−ＩＭのアンテナポートの数が固定される点である。本発明の本実施形態では、第１のダウンリンク伝送モードと第２のダウンリンク伝送モードのタイプは同じであっても異なっていてもよい。例えば、第１のダウンリンク伝送モードはＴＭ２であってよく、第２のダウンリンク伝送モードはＴＭ４であってよい。ＴＭ１〜ＴＭ１０において、ＴＭ１及びＴＭ２は比較的信頼性が高く、ＴＭ９及びＴＭ１０の伝送レイヤの数は比較的多い。具体的には、ＴＭ１〜ＴＭ１０についての情報については、関連技術を参照されたい。ここでは詳細の説明を省略する。
【手続補正７】
【補正対象書類名】明細書
【補正対象項目名】０１０８
【補正方法】変更
【補正の内容】
【０１０８】
ＬＴＥシステム又はＬＴＥ−Ａシステムでは、１ｍｓは従来のＴＴＩの長さであり、１ｍｓの時間単位に対応するダウンリンクデータ伝送モードは、通常、フォールバックモードとして用いられる。したがって、１ｍｓの時間単位に対応する第２のダウンリンク伝送モードを、比較的信頼性の高いＴＭ１及びＴＭ２に設定することにより、第２のダウンリンク伝送モードの信頼性を向上させることができる。更に、ＴＭ９又はＴＭ１０には比較的多数の伝送レイヤが存在し、第１のダウンリンク伝送モードをＴＭ９又はＴＭ１０に設定することにより、ネットワークデバイスと端末デバイスとの間のデータ伝送のスループットを向上させることができる。
【手続補正８】
【補正対象書類名】明細書
【補正対象項目名】０１１４
【補正方法】変更
【補正の内容】
【０１１４】
更に留意すべきこととして、少なくとも２つのダウンリンク伝送モードは更に、第３のダウンリンク伝送モードを含む。第３のダウンリンク伝送モードは第３のＴＴＩの時間単位のダウンリンクデータ伝送に用いられる。第３のＴＴＩの長さは第１のＴＴＩの長さとは異なり、第３のＴＴＩの長さは第２のＴＴＩの長さとは異なる。つまり、ネットワークデバイスは、端末デバイスに対して少なくとも３つのダウンリンク伝送モードを決定することができ、少なくとも３つのダウンリンク伝送モードは異なるＴＴＩ長を有する。例えば、ＬＴＥシステム及びＬＴＥ−Ａシステムでは、第１のＴＴＩは３つのシンボルの長さを有し、第２のＴＴＩは１ｍｓの長さである従来のＴＴＩであり、第３のＴＴＩは２つのシンボルの長さを有する。更に、少なくとも２つのダウンリンク伝送モードは、より多くのダウンリンク伝送モードを含んでもよい。更なるダウンリンク伝送モードのケースについては、第１、第２又は第３のダウンリンク伝送モードを参照されたい。ここでは詳細の説明を省略する。
【手続補正９】
【補正対象書類名】明細書
【補正対象項目名】０１２３
【補正方法】変更
【補正の内容】
【０１２３】
例えば、第１のダウンリンク伝送モードに対応する測定参照信号のアンテナポートは２つあり、２つのアンテナポートのポート番号は０と１である。第２のダウンリンク伝送モードに対応する測定参照信号のアンテナポートは２つあり、２つのアンテナポートのポート番号は３と４である。
【手続補正１０】
【補正対象書類名】明細書
【補正対象項目名】０１２５
【補正方法】変更
【補正の内容】
【０１２５】
例えば、第１のダウンリンク伝送モードに対応する測定参照信号のアンテナポートは２つあり、２つのアンテナポートのポート番号は０と１である。第２のダウンリンク伝送モードに対応する測定参照信号のアンテナポートは１つあり、アンテナポートのポート番号は０である。ポート番号０のアンテナポートは、第１のダウンリンク伝送モードと第２のダウンリンク伝送モードとによって共有されるアンテナポートである。
【手続補正１１】
【補正対象書類名】明細書
【補正対象項目名】０１２７
【補正方法】変更
【補正の内容】
【０１２７】
例えば、第１のダウンリンク伝送モードに対応する測定参照信号のアンテナポートは２つあり、２つのアンテナポートのポート番号は０と１である。第２のダウンリンク伝送モードに対応する測定参照信号のアンテナポートは２つあり、２つのアンテナポートのポート番号は０と１である。ポート番号０と１のアンテナポートは、第１のダウンリンク伝送モードと第２のダウンリンク伝送モードとによって共有されるアンテナポートである。
【手続補正１２】
【補正対象書類名】明細書
【補正対象項目名】０１２８
【補正方法】変更
【補正の内容】
【０１２８】
留意すべきこととして、本発明の本実施形態において提供されるダウンリンク伝送モードについての情報を伝送するための方法は、異なる長さを有するＴＴＩのためのアンテナポートをそれぞれ構成するのに用いることができる。つまり、ネットワークデバイスは、ケースに基づき、異なるダウンリンク伝送モードに対応する測定参照信号のアンテナポートの設定方式を、通信リソースを削減するように調整することができる。一方、関連技術では、異なる長さのＴＴＩについて通常１つのダウンリンク伝送モードが構成されるので、長さの異なるＴＴＩのダウンリンクデータ伝送に対応する測定参照信号のアンテナポートの構成状況は同じであり、アンテナポートの構成状況をケースに基づいて調整することはできない。結果として、通信リソースが無駄になる可能性がある。
【手続補正１３】
【補正対象書類名】明細書
【補正対象項目名】０１６９
【補正方法】変更
【補正の内容】
【０１６９】
留意すべきこととして、端末デバイスが３つ以上のＣＳＩをネットワークデバイスに送信するとき、ネットワークデバイスは、３つ以上のＣＳＩの各々に基づいて、１つのＭＣＳ指示情報を決定することができ、又は、３つ以上のＣＳＩに基づいて、少なくとも１つのＭＣＳ指示情報を決定することができる。詳細については、このステップの上記２つのケースを参照されたい。ここでは詳細の説明を省略する。
【手続補正１４】
【補正対象書類名】明細書
【補正対象項目名】０１９１
【補正方法】変更
【補正の内容】
【０１９１】
更に、ダウンリンク伝送モードと同様に、少なくとも２つのアップリンク伝送モードは更に、第３のアップリンク伝送モードを含んでよい。第３のアップリンク伝送モードは、第３のＴＴＩの時間単位のアップリンクデータ伝送に用いられる。第３のＴＴＩの長さは第１のＴＴＩの長さとは異なり、第３のＴＴＩの長さは第２のＴＴＩの長さとは異なる。つまり、ネットワークデバイスは、端末デバイスに対して少なくとも３つのアップリンク伝送モードを決定することができ、少なくとも３つのアップリンク伝送モードは異なるＴＴＩ長を有する。
【手続補正１５】
【補正対象書類名】明細書
【補正対象項目名】０２０９
【補正方法】変更
【補正の内容】
【０２０９】
ＬＴＥシステム又はＬＴＥ−Ａシステムでは、１ｍｓは従来のＴＴＩの長さであり、１ｍｓの時間単位に対応するダウンリンクデータ伝送モードは、通常、フォールバック伝送モードとして用いられる（フォールバックモードは、ネットワークパフォーマンスが悪い場合に用いられる伝送モードである）。したがって、１ｍｓの時間単位に対応する第２のダウンリンク伝送モードを、比較的信頼性の高いＴＭ１及びＴＭ２に設定することにより、第２のダウンリンク伝送モードの信頼性を向上させることができる。更に、ＴＭ９又はＴＭ１０には比較的多数の伝送レイヤが存在し、第１のダウンリンク伝送モードをＴＭ９又はＴＭ１０に設定することにより、ネットワークデバイスと端末デバイスとの間のデータ伝送のスループット（ネットワーク、デバイス、ポート、仮想回路その他の設備によって時間単位で正常に送信されたデータのデータ量）を向上させることができる。
【手続補正１６】
【補正対象書類名】明細書
【補正対象項目名】０２１４
【補正方法】変更
【補正の内容】
【０２１４】
任意に、少なくとも２つのダウンリンク伝送モードは更に、第３のダウンリンク伝送モードを含む。第３のダウンリンク伝送モードは第３のＴＴＩの時間単位のダウンリンクデータ伝送に用いられる。第３のＴＴＩの長さは第１のＴＴＩの長さとは異なり、第３のＴＴＩの長さは第２のＴＴＩの長さとは異なる。つまり、ネットワークデバイスは、端末デバイスに対して少なくとも３つのダウンリンク伝送モードを決定することができ、少なくとも３つのダウンリンク伝送モードは異なるＴＴＩ長を有する。例えば、ＬＴＥシステム及びＬＴＥ−Ａシステムでは、第１のＴＴＩは３つのシンボルの長さを有し、第２のＴＴＩは１ｍｓの長さを有する従来のＴＴＩであり、第３のＴＴＩは２つのシンボルの長さを有する。更に、少なくとも２つのダウンリンク伝送モードは更に、より多くのダウンリンク伝送モードを含んでよい。より多くのダウンリンク伝送モードのケースについては、第１、第２又は第３のダウンリンク伝送モードを参照されたい。ここでは詳細の説明を省略する。
【手続補正１７】
【補正対象書類名】明細書
【補正対象項目名】０２１６
【補正方法】変更
【補正の内容】
【０２１６】
本発明の本実施形態において提供されるネットワークデバイスは、異なる長さを有するＴＴＩに対して異なるダウンリンク伝送モードを設定する。各ダウンリンク伝送モードでは、ＴＴＩの長さに基づいて測定参照信号の周期を設定することができる。例えば、０．５ｍｓの長さを有するＴＴＩに対応するダウンリンクデータ伝送のＣＳＩ−ＲＳの周期が、５ＴＴＩに設定されてよく、１ｍｓの長さを有するＴＴＩに対応するダウンリンクデータ伝送の周期が、１０ＴＴＩに設定されてよい。このように、ＣＳＩ−ＲＳの周期は、異なる長さを有するＴＴＩに対応するダウンリンクデータ伝送におけるＣＳＩの要件を満たすことができ、これにより関連技術の問題を解決することができる。
【国際調査報告】
2019515531.tif 000024
2019515531.tif 000025
2019515531.tif 000026
2019515531.tif 000027